(57)【要約】【課題】セルが属するＭＢＳＦＮエリアを自動で決定することを可能にする。【解決手段】対象基地局及び１つ以上の他の基地局のうちの一方により送信されるリファレンス信号の測定の結果であって、上記対象基地局及び上記１つ以上の他の基地局のうちの他方により提供される上記測定の上記結果を取得する取得部と、上記測定の上記結果に基づいて、上記対象基地局のセルが属するＭＢＳＦＮエリアを決定する決定部と、を備える装置が提供される。【選択図】図２１
2015142332.tif 000002
【特許請求の範囲】
【請求項１】
対象基地局及び１つ以上の他の基地局のうちの一方により送信されるリファレンス信号の測定の結果であって、前記対象基地局及び前記１つ以上の他の基地局のうちの他方により提供される前記測定の前記結果を取得する取得部と、
前記測定の前記結果に基づいて、前記対象基地局のセルが属するＭＢＳＦＮ（Multimedia  Broadcast  Multicast  Service（MBMS）  over  Single  Frequency  Network）エリアを決定する決定部と、
を備える装置。
【請求項２】
前記対象基地局は、スモールセル基地局であり、
前記セルは、スモールセルである、
請求項１に記載の装置。
【請求項３】
前記１つ以上の他の基地局の各々は、スモールセル基地局である、請求項２に記載の装置。
【請求項４】
前記ＭＢＳＦＮエリアは、１つ以上のスモールセルから成る、請求項２に記載の装置。
【請求項５】
前記測定の前記結果は、前記１つ以上の他の基地局により送信されるリファレンス信号の測定の結果であって、前記対象基地局により提供される前記測定の前記結果である、請求項１に記載の装置。
【請求項６】
前記測定の前記結果は、前記対象基地局による測定の結果である、請求項５に記載の装置。
【請求項７】
前記測定の前記結果は、前記対象基地局に接続される端末装置による測定の結果である、請求項５に記載の装置。
【請求項８】
前記測定の前記結果は、前記対象基地局により送信されるリファレンス信号の測定の結果であって、前記１つ以上の他の基地局により提供される前記測定の前記結果である、請求項１に記載の装置。
【請求項９】
前記測定の前記結果は、前記１つ以上の他の基地局の各々による測定の結果である、請求項８に記載の装置。
【請求項１０】
前記測定の前記結果は、前記１つ以上の他の基地局の各々に接続される端末装置による測定の結果である、請求項８に記載の装置。
【請求項１１】
前記リファレンス信号は、ＭＢＳＦＮリファレンス信号である、請求項５に記載の装置。
【請求項１２】
前記測定の前記結果は、１つ以上のＭＢＳＦＮエリアの各々についての測定の結果及び識別情報を含む、請求項１１に記載の装置。
【請求項１３】
前記決定部は、前記１つ以上のＭＢＳＦＮエリアのうちのいずれかのＭＢＳＦＮエリアを、前記対象基地局のセルが属するＭＢＳＦＮエリアとして決定する、請求項１２に記載の装置。
【請求項１４】
前記測定の前記結果は、ＭＢＳＦＮリファレンス信号の受信レベル又はＳＩＮＲ（Signal-to-Interference-plus-Noise  Ratio）を含む、請求項１１に記載の装置。
【請求項１５】
前記測定の前記結果は、いずれかのＭＢＳＦＮエリアを示す情報である、請求項１１に記載の装置。
【請求項１６】
前記リファレンス信号は、ＣＲＳ（Cell-specific  Reference  Signal）である、請求項５に記載の装置。
【請求項１７】
前記測定の前記結果は、前記１つ以上の他の基地局の各々についての測定の結果及び識別情報を含む、請求項１６に記載の装置。
【請求項１８】
前記決定部は、前記１つ以上の他の基地局のうちのいずれかの基地局のセルが属するＭＢＳＦＮエリアを、前記対象基地局のセルが属するＭＢＳＦＮエリアとして決定する、請求項１７に記載の装置。
【請求項１９】
前記測定の前記結果は、ＣＲＳの受信レベル、ＳＩＮＲ又はパスロスを含む、請求項１６に記載の装置。
【請求項２０】
前記測定の前記結果は、前記１つ以上の他の基地局のうちのいずれかの基地局を示す情報である、請求項１６に記載の装置。
【請求項２１】
対象基地局及び１つ以上の他の基地局のうちの一方により送信されるリファレンス信号の測定の結果を取得する取得部と、
前記対象基地局のセルが属するＭＢＳＦＮエリアを決定する制御装置に前記測定の前記結果を提供する提供部と、
を備える装置。
【請求項２２】
前記測定の前記結果は、１つ以上の他の基地局により送信されるリファレンス信号の測定の結果であり、
前記装置は、前記対象基地局、前記対象基地局のための基地局装置、又は当該基地局装置のためのモジュールである、
請求項２１に記載の装置。
【請求項２３】
前記測定の前記結果は、前記対象基地局により送信されるリファレンス信号の測定の結果であり、
前記装置は、他の基地局、前記他の基地局のための基地局装置、又は当該基地局装置のためのモジュールである、
請求項２１に記載の装置。
【請求項２４】
１つ以上の基地局により送信されるＭＢＳＦＮリファレンス信号の測定を行う測定部と、
端末装置が接続される基地局に前記測定の結果を提供する提供部と、
を備える装置。
【請求項２５】
前記装置は、前記端末装置、又は前記端末装置のためのモジュールである、請求項２４に記載の装置。
【発明の詳細な説明】
【技術分野】
【０００１】
本開示は、装置に関する。
【背景技術】
【０００２】
セルラーネットワークにおいて、放送コンテンツのような同一のコンテンツを複数のユーザに配信する方式として、ＭＢＭＳ（Multicast  Broadcast  Multimedia  Services）が実用化されている。とりわけＬＴＥ（Long  Term  Evolution）では、複数のセルの基地局が互いに同期して同一コンテンツを配信するＭＢＳＦＮ（MBMS  over  Single  Frequency  Network）が規格化されている。ＭＢＳＦＮにより、端末において、複数の基地局からの受信信号が合成され、受信品質が改善され得る。
技術が提案されている。
【０００３】
例えば、非特許文献１には、ＭＢＭＳ及びＭＢＳＦＮに関して規格化された技術が開示されている。
【先行技術文献】
【非特許文献】
【０００４】
【非特許文献１】3GPP  TS  36.331  V11.5.0  (2013-09)  LTE;  Evolved  Universal  Terrestrial  Radio  Access  (E-UTRA);  Radio  Resource  Control  (RRC);  Protocol  Specification
【発明の概要】
【発明が解決しようとする課題】
【０００５】
しかし、セルが属するＭＢＳＦＮエリアを決定することが困難な場合がある。例えば、ＨｅＮＢ（Home  evolved  Node  B）はユーザにより設置されるので、移動体通信ネットワークのオペレータは、ＨｅＮＢの設置場所を計画的に決めることができない。そのため、例えば、ＨｅＮＢのセル（例えば、フェムトセル）によりＭＢＳＦＮエリアを構成する場合に、新たに設置されるＨｅＮＢのセルが属するＭＢＳＦＮエリアを決定することが困難になり得る。
【０００６】
そこで、セルが属するＭＢＳＦＮエリアを自動で決定することを可能にする仕組みが提供されることが望ましい。
【課題を解決するための手段】
【０００７】
本開示によれば、対象基地局及び１つ以上の他の基地局のうちの一方により送信されるリファレンス信号の測定の結果であって、上記対象基地局及び上記１つ以上の他の基地局のうちの他方により提供される上記測定の上記結果を取得する取得部と、上記測定の上記結果に基づいて、上記対象基地局のセルが属するＭＢＳＦＮエリアを決定する決定部と、を備える装置が提供される。
【０００８】
また、本開示によれば、対象基地局及び１つ以上の他の基地局のうちの一方により送信されるリファレンス信号の測定の結果を取得する取得部と、上記対象基地局のセルが属するＭＢＳＦＮエリアを決定する制御装置に上記測定の上記結果を提供する提供部と、を備える装置が提供される。
【０００９】
また、本開示によれば、１つ以上の基地局により送信されるＭＢＳＦＮリファレンス信号の測定を行う測定部と、端末装置が接続される基地局に上記測定の結果を提供する提供部と、を備える装置が提供される。
【００１０】
また、本開示によれば、ＭＢＳＦＮエリアにおいて送信される同一の信号間の遅延の測定結果を取得する取得部と、上記測定結果に基づいて、上記ＭＢＳＦＮエリアのＭＢＳＦＮサブフレームのためのサイクリックプレフィクス長を決定する決定部と、を備える装置が提供される。
【００１１】
また、本開示によれば、ＭＢＳＦＮエリアにおいて送信される同一の信号間の遅延の測定結果を取得する取得部と、上記ＭＢＳＦＮエリアのＭＢＳＦＮサブフレームのためのサイクリックプレフィクス長を決定する制御装置に上記測定結果を提供する提供部と、を備える装置が提供される。
【００１２】
また、本開示によれば、ＭＢＳＦＮエリアにおいて送信される同一の信号間の遅延の測定を行う測定部、を備える装置が提供される。
【００１３】
また、本開示によれば、特定のＭＢＳＦＮサブフレームのＭＢＳＦＮ領域のうちの少なくとも１つのシンボルにおいてＭＢＳＦＮリファレンス信号のみが送信されるように送信を制御する制御部、を備える装置が提供される。
【００１４】
また、本開示によれば、ＭＢＳＦＮエリアのＭＢＳＦＮサブフレームのためのサイクリックプレフィクス長を特定するための特定情報を取得する取得部と、セル内での上記特定情報の送信を制御する制御部と、を備える装置が提供される。
【発明の効果】
【００１５】
以上説明したように本開示によれば、基地局が属するＭＢＳＦＮエリアを自動で決定することが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１６】
【図１】ＭＢＳＦＮエリアの例を説明するための説明図である。
【図２】ＭＢＭＳのためのチャネルを説明するための説明図である。
【図３】ＭＢＳＦＮサブフレームの例を説明するための説明図である。
【図４】ＭＢＳＦＮサブフレームのリソース及び信号の第１の例を説明するための説明図である。
【図５】ＭＢＳＦＮサブフレームのリソース及び信号の第２の例を説明するための説明図である。
【図６】通常のサブフレームのリソース及び信号の第１の例を説明するための説明図である。
【図７】通常のサブフレームのリソース及び信号の第２の例を説明するための説明図である。
【図８】サイクリックプレフィクス（ＣＰ）の例を説明するための説明図である。
【図９】サイクリックプレフィクス（ＣＰ）とＦＦＴ処理ウィンドウの例を説明するための説明図である。
【図１０】ＭＣＣＨが配置されるサブフレームの例を説明するための説明図である。
【図１１】ＭＢＳＦＮサブフレームの例を説明するための説明図である。
【図１２】ＰＭＣＨ及びＰＭＣＨにマッピングされるＭＴＣＨの例を説明するための説明図である。
【図１３】ＭＣＣＨの情報の変更に関する通知のタイミングの例を説明するための説明図である。
【図１４】ＭＢＳＦＮをサポートするＬＴＥネットワークの構成の一例を説明するための説明図である。
【図１５】ＭＢＭＳカウンティング手続きの例を説明するための説明図である。
【図１６】本開示の実施形態に係る通信システムの概略的な構成の一例を示す説明図である。
【図１７】第１の実施形態に係る制御装置の構成の一例を示すブロック図である。
【図１８】ＭＢＳＦＮリファレンス信号の測定の結果の一例を説明するための説明図である。
【図１９】ＣＲＳの測定の結果の一例を説明するための説明図である。
【図２０】第１の実施形態に係るスモール基地局の構成の一例を示すブロック図である。
【図２１】第１の実施形態に係る処理の概略的な流れの一例を示すシーケンス図である。
【図２２】第２の実施形態に係るスモール基地局の構成の一例を示すブロック図である。
【図２３】第２の実施形態に係る端末装置の構成の一例を示すブロック図である。
【図２４】第２の実施形態に係る処理の概略的な流れの一例を示すシーケンス図である。
【図２５】第３の実施形態に係る制御装置の構成の一例を示すブロック図である。
【図２６】ＣＲＳの測定の結果の一例を説明するための説明図である。
【図２７】第３の実施形態に係るスモール基地局の構成の一例を示すブロック図である。
【図２８】第３の実施形態に係る処理の概略的な流れの一例を示すシーケンス図である。
【図２９】第４の実施形態に係るスモール基地局の構成の一例を示すブロック図である。
【図３０】第４の実施形態に係る端末装置の構成の一例を示すブロック図である。
【図３１】第４の実施形態に係る処理の概略的な流れの一例を示すシーケンス図である。
【図３２】サーバの概略的な構成の一例を示すブロック図である。
【図３３】ｅＮＢの概略的な構成の第１の例を示すブロック図である。
【図３４】ｅＮＢの概略的な構成の第２の例を示すブロック図である。
【図３５】スマートフォンの概略的な構成の一例を示すブロック図である。
【図３６】カーナビゲーション装置の概略的な構成の一例を示すブロック図である。
【発明を実施するための形態】
【００１７】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１８】
なお、説明は以下の順序で行うものとする。
１．はじめに
２．通信システムの概略的な構成
３．第１の実施形態
３．１．制御装置の構成
３．２．スモール基地局の構成
３．３．処理の流れ
４．第２の実施形態
４．１．制御装置の構成
４．２．スモール基地局の構成
４．３．端末装置の構成
４．４．処理の流れ
５．第３の実施形態
５．１．制御装置の構成
５．２．スモール基地局の構成
５．３．処理の流れ
６．第４の実施形態
６．１．制御装置の構成
６．２．スモール基地局の構成
６．３．端末装置の構成
６．４．処理の流れ
７．応用例
７．１．制御装置に関する応用例
７．２．スモール基地局に関する応用例
７．３．端末装置に関する応用例
８．まとめ
【００１９】
＜＜１．はじめに＞＞
まず、図１〜図１５を参照して、ＭＢＭＳ及びＭＢＳＦＮに関する技術を説明する。
【００２０】
（ＭＢＳＦＮエリア）
ＭＢＳＦＮでは、複数の基地局が、互いに同期して同一のコンテンツを配信する。即ち、ＭＢＳＦＮでは、複数の基地局が、同一の無線リソースで同一のデータを送信する。当該複数の基地局のセル（即ち、複数のセル）は、ＭＢＳＦＮエリアと呼ばれる。各セルは、最大８個のＭＢＳＦＮエリアに属することができる。以下、図１を参照して、ＭＢＳＦＮエリアの具体例を説明する。
【００２１】
図１は、ＭＢＳＦＮエリアの例を説明するための説明図である。図１を参照すると、＃１〜＃１５のセルが示されている。この例では、ＭＢＳＦＮエリア０は＃１〜＃３、＃５〜＃８のセルを含み、ＭＢＳＦＮエリア１は＃７、＃９、＃１０、＃１３のセルを含み、ＭＢＳＦＮエリア２５５は＃８、＃９、＃１１〜＃１５のセルを含む。なお、＃７のセルは、ＭＢＳＦＮエリア０及びＭＢＳＦＮエリア１の両方に属する。また、＃８のセルは、ＭＢＳＦＮエリア０及びＭＢＳＦＮエリア２５５の両方に属する。また、＃９のセルは、ＭＢＳＦＮエリア１及びＭＢＳＦＮエリア２５５の両方に属する。また、＃４のセルは、いずれのＭＢＳＦＮエリアにも属さない。
【００２２】
（ＭＢＭＳに関するチャネル）
ＭＢＭＳのための論理チャネル、トランスポートチャネル及び物理チャネルが定められている。以下、この点について図２を参照して説明する。
【００２３】
図２は、ＭＢＭＳのためのチャネルを説明するための説明図である。図２を参照すると、ＬＴＥにおいて定められている論理チャネル、トランスポートチャネル及び物理チャネルが示されている。とりわけ、ＭＢＭＳのための論理チャネルとして、ＭＣＣＨ（Multicast  Control  Channel）及びＭＴＣＨ（Multicast  Traffic  Channel）が定められている。ＭＣＣＨは、ＭＢＳＦＮエリアコンフィギュレーションメッセージ（MBSFN  Area  Configuration  message）及びＭＢＭＳカウンティング要求メッセージ（MBM  Counting  Request  messega）などの制御情報を送信するためのチャネルである。また、ＭＴＣＨは、ＭＢＭＳのデータを送信するためのチャネルである。また、ＭＢＭＳのための物理チャネルとして、ＰＭＣＨ（Physical  Multicast  Channel）が定められている。ＭＣＣＨにマッピングされる制御情報及びＭＴＣＨにマッピングされるデータの両方が、トランスポートチャネルであるＭＣＨ（Multicast  Channel）を通じてＰＭＣＨにマッピングされる。
【００２４】
（ＭＢＳＦＮサブフレーム）
ＭＢＳＦＮの送信は、ＭＢＳＦＮサブフレームで行われる。ＭＢＳＦＮサブフレームは、無線フレーム割当て期間（Radio  Frame  Allocation  Period）、無線フレーム割当てオフセット（Radio  Frame  Allocation  Offset）、及びサブフレーム割当て（Subframe  Allocation）により示される。以下、図３を参照して、ＭＢＳＦＮサブフレームの具体例を説明する。
【００２５】
図３は、ＭＢＳＦＮサブフレームの例を説明するための説明図である。図３を参照すると、各ＳＦＮ（System  Frame  Number）の無線フレームに含まれるサブフレームが示されている。この例では、無線フレーム割当て期間は８であり、無線フレーム割当てオフセットは２である。また、サブフレーム割当ては、４フレームパターン（２４ビット）である。そのため、「ＳＦＮ  ｍｏｄ  ８  ＝２」を満たすＳＦＮ（即ち、２、１０、１８などのＳＦＮ）の無線フレームと、その後に続く３つの無線フレームとが、ＭＢＳＦＮのための無線フレームである。また、この例では、ＦＤＤ（Frequency  Division  Duplexing）が採用され、サブフレーム割当ては、「０１１０１０  ０１１０１０  ０１１０１０  ０１１０１０」である。ＦＤＤが採用される場合には、サブフレーム割当ての各ビットは、＃１、＃２、＃３、＃６、＃７及び＃８のサブフレームを示すので、上記無線フレームのうちの＃２、＃３及び＃７のサブフレームが、ＭＢＳＦＮサブフレームである。
【００２６】
システム情報及びページング情報が送信されるサブフレームは、ＭＢＳＦＮサブフレームとして使用されない。よって、ＦＤＤが採用される場合には、＃０、＃４、＃５及び＃９のサブフレームは、ＭＢＳＦＮサブフレームとして使用されない。また、ＴＤＤ（Time  Division  Duplexing）が採用される場合には、＃０、＃１、＃２、＃５及び＃６のサブフレームは、ＭＢＳＦＮサブフレームとして使用されない。
【００２７】
なお、ＭＢＳＦＮサブフレームは、例えば、ＳＩＢ（System  Information  Block）２の中で端末装置に通知される。これにより、端末装置は、ＭＢＳＦＮエリアを知ることができる。また、ＭＢＳＦＮエリアごとのＭＢＳＦＮサブフレームは、後述するように、ＭＣＣＨにマッピングされる制御情報（ＭＢＳＦＮエリアコンフィギュレーションメッセージ）の中でも端末装置に通知される。
【００２８】
（ＭＢＳＦＮサブフレームのリソース及び信号）
−ＯＦＤＭシンボルの数
ＭＢＳＦＮでは、複数の基地局が、同一の無線リソースで同一のデータを送信するので、長い遅延スプレッド（delay  spread）を許容するために、ＭＢＳＦＮサブフレームのＭＢＳＦＮ領域では、１６．７ｕｓ又は３３．３ｕｓの拡張ＣＰ（Extended  CP）が使用される。１６.７ｕｓの拡張ＣＰが使用される場合には、１スロットに６ＯＦＤＭシンボルが含まれる。即ち、１サブフレームに１２ＯＦＤＭシンボルが含まれる。一方、３３.３ｕｓの拡張ＣＰが使用される場合には、１スロットに３ＯＦＤＭシンボルが含まれる。即ち、１サブフレームに６ＯＦＤＭシンボルが含まれる。
【００２９】
−リファレンス信号（ＲＳ）
ＭＢＳＦＮエリアに属するセルの基地局は、ＭＢＳＦＮサブフレームのうちのとりわけＭＢＳＦＮ領域内で、同一の信号を送信する。そのため、これらの基地局は、ＭＢＳＦＮ領域内ではセル固有のリファレンス信号（Cell-specific  Reference  Signal：ＣＲＳ）を送信しない。その代わりに、これらの基地局は、ＭＢＳＦＮ用のリファレンス信号であるＭＢＳＦＮリファレンス信号（ＭＢＳＦＮ−ＲＳ）を送信する。ＭＢＳＦＮ−ＲＳは、ＭＢＳＦＮエリアに属する全てのセルにおいて、同一の無線リソース（即ち、同一のリソースエレメント）で送信される。
【００３０】
−具体例
図４は、ＭＢＳＦＮサブフレームのリソース及び信号の第１の例を説明するための説明図である。図４を参照すると、ＭＢＳＦＮサブフレーム内で時間方向に並ぶ２つのリソースブロック（ＲＢ）が示されている。この例では、１６．７ｕｓの拡張ＣＰが使用され、ＭＢＳＦＮサブフレームは、時間方向において１２個のＯＦＤＭシンボルを含む。また、ＭＢＳＦＮサブフレームは、１２個のＯＦＤＭシンボルのうちの最初の２つのＯＦＤＭシンボルにわたる非ＭＢＳＦＮ領域と、その後に続くＭＢＳＦＮ領域とを含む。非ＭＢＳＦＮ領域では、ＣＲＳが送信され得る。一方、ＭＢＳＦＮ領域では、ＭＢＳＦＮエリアに属するセル間で共通のＭＢＳＦＮ−ＲＳが送信される。また、ＭＢＳＦＮ領域では、ＭＣＣＨにマッピングされる制御情報及び／又はＭＴＣＨにマッピングされるデータが送信される。
【００３１】
図５は、ＭＢＳＦＮサブフレームのリソース及び信号の第２の例を説明するための説明図である。図５を参照すると、ＭＢＳＦＮサブフレーム内で時間方向に並ぶ２つのリソースブロック（ＲＢ）が示されている。この例では、３３．３ｕｓの拡張ＣＰが使用され、ＭＢＳＦＮサブフレームは、時間方向において６個のＯＦＤＭシンボルを含む。また、ＭＢＳＦＮサブフレームは、６個のＯＦＤＭシンボルのうちの最初の１つのＯＦＤＭシンボルにわたる非ＭＢＳＦＮ領域と、その後に続くＭＢＳＦＮ領域とを含む。非ＭＢＳＦＮ領域では、ＣＲＳが送信され得る（図示せず）。一方、ＭＢＳＦＮ領域では、ＭＢＳＦＮエリアに属するセル間で共通のＭＢＳＦＮ−ＲＳが送信される。また、ＭＢＳＦＮ領域では、ＭＣＣＨにマッピングされる制御情報及び／又はＭＴＣＨにマッピングされるデータが送信される。
【００３２】
（通常のサブフレームのリソース及び信号）
−ＯＦＤＭシンボルの数
ＭＢＳＦＮサブフレームではない通常のサブフレームでは、通常のＣＰ（Normal  CP）又は１６．７ｕｓの拡張ＣＰが使用される。通常のＣＰの長さは、スロット中の１番目のＯＦＤＭシンボルで５.１ｕｓであり、他のＯＦＤＭシンボルで４．７ｕｓである。通常のＣＰが使用される場合には、１スロットに７ＯＦＤＭシンボルが含まれる。即ち、１サブフレームに１４ＯＦＤＭシンボルが含まれる。一方、１６.７ｕｓの拡張ＣＰが使用される場合には、１スロットに６ＯＦＤＭシンボルが含まれる。即ち、１サブフレームに１２ＯＦＤＭシンボルが含まれる。
【００３３】
−リファレンス信号（ＲＳ）
基地局は、通常のサブフレームにおいて、ＣＲＳを送信する。ＣＲＳは、セル選択、チャネル推定、及びダウンリンクデータの同期検波などのために使用される。
【００３４】
−具体例
図６は、通常のサブフレームのリソース及び信号の第１の例を説明するための説明図である。図６を参照すると、通常のサブフレーム内で時間方向に並ぶ２つのリソースブロック（ＲＢ）が示されている。この例では、通常のＣＰが使用され、サブフレームは、時間方向において１４個のＯＦＤＭシンボルを含む。ＣＲＳは、各ＲＢ内の所定のリソースエレメント（ＲＥ）で送信される。なお、上記所定のＲＥは、セルごとに設定される。
【００３５】
図７は、通常のサブフレームのリソース及び信号の第２の例を説明するための説明図である。図７を参照すると、通常のサブフレーム内で時間方向に並ぶ２つのリソースブロック（ＲＢ）が示されている。この例では、１６．７ｕｓの拡張ＣＰが使用され、サブフレームは、時間方向において１２個のＯＦＤＭシンボルを含む。この場合も、ＣＲＳは、各ＲＢ内の所定のリソースエレメント（ＲＥ）で送信される。なお、上記所定のＲＥは、セルごとに設定される。
【００３６】
（サイクリックプレフィクス（ＣＰ））
ＯＦＤＭシンボルは、サイクリックプレフィクス（ＣＰ）とメインボディとを含む。ＣＰは、メインボディの波形の一部をコピーすることにより生成される。以下、この点について図８を参照して具体例を説明する。
【００３７】
図８は、サイクリックプレフィクス（ＣＰ）の例を説明するための説明図である。図８を参照すると、ＯＦＤＭシンボルの波形が示されている。ＯＦＤＭシンボルは、ＣＰ及びメインボディを含む。ＣＰは、メインボディのうちの末尾の部分をコピーすることにより生成され、メインボディの前に付される。
【００３８】
マルチパスによる遅延スプレッドがＣＰ長に収まっていれば、信号は、ＦＦＴ（Fast  Fourier  Transform）処理ウィンドウ内で完全に表現され、ＦＦＴ処理により正しく合成される。一方、マルチパスによる遅延スプレッドがＣＰ長に収まっていなければ、信号はＦＦＴ処理ウィンドウ内で完全に表現されず、シンボル間干渉が生じ得る。その結果、受信性能が劣化し得る。以下、この点について図９を参照して具体例を説明する。
【００３９】
図９は、サイクリックプレフィクス（ＣＰ）とＦＦＴ処理ウィンドウの例を説明するための説明図である。図９を参照すると、第１の遅延スプレッドコンポーネントと第２の遅延スプレッドコンポーネントとが示されている。第２の遅延スプレッドコンポーネントは、第１の遅延スプレッドコンポーネントよりも遅れて受信機により受信され、第１の遅延スプレッドコンポーネントと第２の遅延スプレッドコンポーネントとの間の受信タイミングの差が遅延スプレッドになる。この遅延スプレッドがＣＰ長よりも短ければ、信号は、ＦＦＴ処理ウィンドウ内で完全に表され、正しく合成される。
【００４０】
なお、端末装置は、使用されているＣＰ長を判定することもできる。一例として、端末装置は、複数のＣＰ長のうちの、同期信号、リファレンス信号又はマスタ報知情報などの最適な復調を可能にするＣＰ長を、使用されているＣＰ長として判定し得る。別の例として、端末装置は、同期信号又はリファレンス信号の波形解析により、使用されているＣＰ長を判定し得る。さらに別の例として、端末装置は、サブフレーム内のシンボル数を判定し、当該シンボル数からＣＰ長を判定し得る。さらに別の例として、端末装置は、サブフレーム内のリファレンス信号の配置から、ＣＰ長を判定し得る。
【００４１】
（ＭＣＣＨ、ＭＴＣＨ及びＰＭＣＨ）
−ＭＢＳＦＮエリアとＭＣＣＨとの関係
１つのＭＣＣＨは、１つのＭＢＳＦＮエリアに対応する。即ち、ＭＣＣＨは、セルが属するＭＢＳＦＮエリアごとに存在する。
【００４２】
−ＳＩＢ１３
ＳＩＢ１３は、ＭＣＣＨが配置されるサブフレームなどを示し、端末装置に通知される。より具体的には、ＳＩＢ１３は、ＭＣＣＨ反復期間（MCCH  Repetition  Period）、ＭＣＣＨオフセット及びサブフレーム割当て情報（Subframe  Allocation  Information）などを含む。以下、図１０を参照して、ＭＣＣＨが配置されるサブフレームの具体例を説明する。
【００４３】
図１０は、ＭＣＣＨが配置されるサブフレームの例を説明するための説明図である。図１０を参照すると、各ＳＦＮ（System  Frame  Number）の無線フレームに含まれるサブフレームが示されている。この例のＭＢＳＦＮサブフレームは、図３に示されるＭＢＳＦＮサブフレームと同一である。この例では、ＭＣＣＨ反復期間は３２であり、ＭＣＣＨオフセットは５である。そのため、「ＳＦＮ  ｍｏｄ  ３２  ＝５」を満たすＳＦＮ（即ち、５、３７などのＳＦＮ）の無線フレームが、ＭＣＣＨが配置される無線フレームである。さらに、この例では、サブフレーム割当て情報が、「０１００００」である。ＦＤＤが採用される場合には、サブフレーム割当ての各ビットは、＃１、＃２、＃３、＃６、＃７及び＃８のサブフレームを示すので、上記無線フレームのうちの＃２のサブフレームが、ＭＣＣＨが配置されるサブフレームである。このように、ＭＣＣＨは、ＭＢＳＦＮサブフレームの中に定期的に配置される。
【００４４】
なお、ＭＣＣＨ及びＭＴＣＨはＭＡＣ（Media  Access  Control）レイヤで多重されるが、端末装置はＭＡＣヘッダの多重情報によりＭＣＣＨ及びＭＴＣＨを復調できる。
【００４５】
−ＭＢＳＦＮエリアコンフィギュレーションメッセージ
ＭＣＣＨには、ＭＢＳＦＮエリアコンフィギュレーションメッセージがマッピングされる。
【００４６】
−−共通サブフレーム割当て（ＣＳＡ）
まず、ＭＢＳＦＮエリアコンフィギュレーションメッセージは、共通サブフレーム割当て（Common  Subframe  Allocation：ＣＳＡ）パターンリスト、及びＣＳＡ期間を含み、これらの情報は、ＭＢＳＦＮエリアのＭＢＳＦＮサブフレームを示す。ＣＳＡパターンリストは、無線フレーム割当て期間、無線フレーム割当てオフセット及びサブフレーム割当てを含む。以下、図１１を参照して、これらの情報により示されるＭＢＳＦＮサブフレームの具体例を説明する。
【００４７】
図１１は、ＭＢＳＦＮサブフレームの例を説明するための説明図である。図１１を参照すると、ＣＳＡ期間にわたる無線フレームが示されている。この例では、ＣＳＡ期間は、３２無線フレームである。また、この例では、ＣＳＡパターンリストは、エントリ１及びエントリ２を含む。エントリ１では、無線フレーム割当て期間が１６であり、無線フレーム割当てオフセットが０であり、サブフレーム割当てが１フレームパターン（６ビット）の「１００１００」である。よって、エントリ１のＭＢＳＦＮサブフレームは、ＳＦＮが０及び１６である２つの無線フレームの中の、＃１及び＃６のサブフレームである。エントリ２では、無線フレーム割当て期間が４であり、無線フレーム割当てオフセットが３であり、サブフレーム割当てが１フレームパターン（６ビット）の「００１００１」である。よって、エントリ２のＭＢＳＦＮサブフレームは、ＳＦＮが３、７、１１、１５、１９、２３、２７及び３１である８つの無線フレームの中の、＃３及び＃８のサブフレームである。よって、この例では、ＭＢＳＦＮサブフレームとして、ＣＳＡ期間の中の合計２０個のサブフレームが示される。
【００４８】
−−ＰＭＣＨ情報
さらに、ＭＢＳＦＮエリアコンフィギュレーションメッセージは、ＰＭＣＨ情報リストを含み、当該ＰＭＣＨ情報リストは、各ＰＭＣＨが配置されるＭＢＳＦＮサブフレーム、及び各ＰＭＣＨにマッピングされる１つ以上のＭＴＣＨを示す。また、ＰＭＣＨの中の最初のサブフレームでは、当該ＰＭＣＨにマッピングされるＭＴＣＨのスケジューリング情報であるＭＳＩ（MCH  Scheduling  Information）が送信され、ＰＭＣＨ情報リストは、当該ＭＳＩの送信の周期も示す。当該周期は、ＭＣＨスケジューリング期間（MCH  Scheduling  Period：ＭＳＰ）と呼ばれる。以下、図１２を参照して、ＰＭＣＨ及びＰＭＣＨにマッピングされるＭＴＣＨの例を説明する。
【００４９】
図１２は、ＰＭＣＨ及びＰＭＣＨにマッピングされるＭＴＣＨの例を説明するための説明図である。図１２を参照すると、図１１を参照して説明した２０個のＭＢＳＦＮサブフレームの４つのセットが示されている。即ち、４つのＣＳＡ期間（即ち、ＣＳＡ期間１〜４）にわたる８０個のＭＢＳＦＮサブフレームが示されている。この例では、ＣＳＡ期間（３２無線フレーム）内の２０個のＭＢＳＦＮサブフレームのうちの、１番目のサブフレームから７番目のサブフレームまでが、ＰＭＣＨ１に割り当てられている。また、８番目のサブフレームから１１番目のサブフレームまでが、ＰＭＣＨ２に、１２番目のサブフレームから１５番目のサブフレームまでが、ＰＭＣＨ３に、１６番目のサブフレームから２０番目のサブフレームまでが、ＰＭＣＨ４に、割り当てられている。また、ＰＭＣＨ１には、論理チャネル１及び２（即ち、ＭＴＣＨ１及び２）がマッピングされる。また、ＰＭＣＨ２には論理チャネル３（即ち、ＭＴＣＨ３）がマッピングされ、ＰＭＣＨ３には論理チャネル４（即ち、ＭＴＣＨ４）がマッピングされ、ＰＭＣＨ４には論理チャネル５（即ち、ＭＴＣＨ５）がマッピングされる。ＰＭＣＨ１に注目すると、ＰＭＣＨ１のＭＳＰは６４無線フレームであり、ＰＭＣＨ１では２つのＣＳＡ期間ごとにＭＳＩが送信される。ＣＳＡ期間１及び２では、ＰＭＣＨ１に割り当てられたＭＢＳＦＮサブフレームのうちの、１番目のサブフレームから９番目までのサブフレームに、論理チャネル１（即ち、ＭＴＣＨ１）が配置される。また、１０番目から１３番目のサブフレームに、論理チャネル２（即ち、ＭＴＣＨ２）が配置される。１４番目のサブフレームには、いずれの論理チャネル（ＭＴＣＨ）も配置されない。また、ＣＳＡ期間３及び４では、ＰＭＣＨ１に割り当てられたＭＢＳＦＮサブフレームのうちの、１番目のサブフレームから８番目までのサブフレームに、論理チャネル１が配置される。また、９番目から１２番目のサブフレームに、論理チャネル２が配置される。なお、１３番目のサブフレーム及び１４番目のサブフレームには、いずれの論理チャネル（ＭＴＣＨ）も配置されない。なお、図１２に示されるように、ＭＢＳＦＮサブフレームには、ＭＣＣＨも配置される。
【００５０】
（ＭＣＣＨについての変更の通知）
ＭＣＣＨの情報に変更がある場合には、ＭＣＣＨの情報の変更が、ＭＢＳＦＮサブフレームの非ＭＢＳＦＮ領域内のＰＤＣＣＨ（Physical  Downlink  Control  Channel）上で送信されるＤＣＩ（Downlink  Control  Information）の中で全ての端末装置に通知される。具体的には、上記ＤＣＩには、ＭＣＣＨ変更通知インジケータ（MCCH  Change  Notification  Indicator）が含まれる。当該ＭＣＣＨ変更通知インジケータは、ＭＢＳＦＮエリアにそれぞれ対応する８ビットのビットマップである。なお、この通知には、ＭＢＭＳ  ＲＮＴＩ（Radio  Network  Temporary  Identity）、即ちＭ−ＲＮＴＩが使用される。
【００５１】
まず、ＭＣＣＨ変更期間（MCCH  modification  period）に、ＭＣＣＨの情報の変更の通知が行われ、その次のＭＣＣＨ変更期間に、変更された情報の通知が行われる。以下、この点について、図１３を参照して具体例を説明する。
【００５２】
図１３は、ＭＣＣＨの情報の変更に関する通知のタイミングの例を説明するための説明図である。図１３を参照すると、第１のＭＣＣＨ変更期間（ｎ）とそれに続く第２のＭＣＣＨの変更期間（ｎ＋１）とが示されている。このように、第１のＭＣＣＨ変更期間（ｎ）において、ＭＣＣＨの情報の変更の通知が行われ、その後、第１のＭＣＣＨ変更期間（ｎ＋１）において、変更された情報の通知が行われる。なお、端末装置のモビリティの確保のために、変更された情報は、最初のＭＣＣＨだけではなく、その後のＭＣＣＨでも送信される。ＭＣＣＨの情報は、比較的長時間をかけて変更される。
【００５３】
（ＭＢＳＦＮのためのシステム構成）
図１４を参照して、ＭＢＳＦＮをサポートするＬＴＥネットワークの構成の例を説明する。図１４は、ＭＢＳＦＮをサポートするＬＴＥネットワークの構成の一例を説明するための説明図である。図１４を参照すると、ＬＴＥネットワークは、ＭＣＥ（Multi-cell/Multicast  Coordination  Entity）、ＢＭ−ＳＣ（Broadcast/Multicast  Service  Center）、ＭＢＭＳ  ＧＷ（gateway）及びＭＭＥ（Mobility  Management  Entity）などを含む。これらのノードは、論理ノードである。ＭＣＥは、ＭＢＳＮＦエリアに属するセルのｅＮＢ（evolved  Node  B）に、同一の無線リソースで同一のデータを送信させる。具体的には、例えば、ＭＣＥは、ＭＢＳＮＦエリア内のＭＢＳＮＦに関するスケジューリングを行う。ＢＭ−ＳＣは、コンテンツプロバイダの認証、課金、及びコアネットワーク内のデータフロー制御などを行う。ＭＢＭＳ−ＧＷは、ＢＭ−ＳＣからｅＮＢまでのマルチキャストＩＰパケットの転送、及びＭＭＥ経由のセッション制御信号の処理などを行う。ＭＭＥは、ＮＡＳ（Non-Access  Stratum）信号の処理を行う。
【００５４】
なお、１つのＭＣＥが複数のｅＮＢに対応する例を説明したが、ＭＣＥは係る例に限定されない。例えば、各ｅＮＢがＭＣＥを備えてもよい。
【００５５】
（カウンティング手続き）
ＭＢＳＦＮでは、ＭＢＭＳカウンティング手続きを通じて、ＭＢＭＳサービスへの関心の情報が収集される。以下、図１５を参照して、ＭＢＭＳカウンティング手続きを説明する。
【００５６】
図１５は、ＭＢＭＳカウンティング手続きの例を説明するための説明図である。図１５を参照すると、まず、ＭＣＣＨの情報が変更されたとき、及び端末装置がＭＢＳＦＮエリアに入ったときに、端末装置は、ＭＢＳＦＮエリアコンフィギュレーションメッセージとともに、ＭＢＭＳカウンティング要求メッセージを受信する。そして、端末装置がＲＲＣ接続モードである場合に、端末装置が関心を有するＭＢＭＳサービスが、ＭＢＭＳカウンティング要求のリストに含まれていれば、端末装置は、当該ＭＢＭＳサービスの識別子を含むＭＢＭＳカウンティング応答メッセージ（MBMS  Counting  Response  message）をネットワークへ送信する。これにより、ＭＢＭＳサービスごとに、ＭＢＭＳサービスを受信し又はサービスに関心を有する端末装置の数をカウントすることが可能になる。そのため、カウンティングの結果に応じてＭＢＭＳサービスの開始及び終了を制御することが可能になる。
【００５７】
（端末の動作）
端末装置は、ＳＩＢ１３を受信し、ＭＣＣＨが配置されるサブフレームなどを特定する。そして、端末装置は、当該サブフレームで、ＭＣＣＨの情報としてＭＢＳＦＮエリアコンフィギュレーションメッセージを受信し、所望のＭＢＭＳセッションのＭＴＣＨがマッピングされるＰＭＣＨを特定する。その後、端末装置は、上記ＭＴＣＨがマッピングされる上記ＰＭＣＨのＭＳＩを受信し、上記ＭＴＣＨが配置されるサブフレームを特定する。そして、端末装置は、当該サブフレームで、上記ＭＴＣＨのデータ（即ち、上記所望のＭＢＭＳセッションのデータ）を受信する。このような動作によれば、端末装置は、必要最小限のサブフレームのみでの受信を行い、その他のサブフレームでスリープすることができる。そのため、端末装置の消費電力が抑えられる。
【００５８】
＜＜２．通信システムの概略的な構成＞＞
続いて、図１６を参照して、本開示の実施形態に係る通信システム１の概略的な構成を説明する。図１６は、本開示の実施形態に係る通信システム１の概略的な構成の一例を示す説明図である。図１６を参照すると、通信システム１は、マクロ基地局１１、制御装置１００、スモール基地局２００、スモール基地局３００及び端末装置４００を含む。通信システム１は、例えば、ＬＴＥ、ＬＴＥ−Ａｄｖａｎｃｅｄ、又はこれらに準ずる通信規格に準拠したシステムである。
【００５９】
マクロ基地局１１は、マクロセル１０内に位置する端末装置との無線通信を行う。マクロ基地局１１は、コアネットワーク４０に接続されている。
【００６０】
スモール基地局２００は、スモールセル２０内に位置する端末装置との無線通信を行う。スモールセル２０は、例えば、マクロセル１０と一部又は全体で重なる。また、複数のスモールセル２０が、同一のＭＢＳＮＦエリア３０に属し、ＭＢＳＮＦエリア３０では、複数のスモール基地局２００が、ＭＢＳＮＦサブフレーム内で、同一の無線リソースで同一の信号を送信する。なお、例えば、スモールセル２０は、フェムトセルであり、スモール基地局２００は、インターネット５０に接続されている。
【００６１】
スモール基地局３００は、新たに設置される基地局である。スモール基地局３００のスモールセル（図示せず）は、例えば、この時点ではいずれのＭＢＳＦＮエリアにも属していない。
【００６２】
制御装置１００は、スモール基地局２００にとってのＭＣＥとして動作する。例えば、制御装置１００は、ＭＢＭＳ−ＧＷとしても動作する。制御装置１００は、例えば、インターネット５０に接続され、インターネット５０を介してスモール基地局２００と通信する。また、制御装置１００は、インターネット５０を介して、コアネットワーク４０内に位置するコアネットワークノード（例えば、ＭＭＥなど）、及び／又はマクロ基地局１１と通信し得る。
【００６３】
端末装置４００は、基地局との無線通信を行う。例えば、端末装置４００は、マクロセル１０内に位置する場合に、マクロ基地局１１との無線通信を行う。また、端末装置４００は、スモールセル２０内に位置する場合に、スモール基地局２００との無線通信を行う。また、端末装置４００は、スモール基地局３００のスモールセル（図示せず）内に位置する場合に、スモール基地局３００との無線通信を行う。
【００６４】
以上、本開示の実施形態に係る通信システム１の概略的な構成を説明した。本開示の実施形態によれば、例えば、制御装置１００は、対象基地局（例えば、スモール基地局３００）及び１つ以上の他の基地局（例えば、１つ以上のスモール基地局２００）のうちの一方により送信されるリファレンス信号の測定の結果であって、上記対象基地局及び上記１つ以上の他の基地局のうちの他方により提供される上記測定の上記結果を取得する。そして、制御装置１００は、上記測定の上記結果に基づいて、上記対象基地局のセル（例えば、スモール基地局３００のスモールセル）が属するＭＢＳＦＮエリアを決定する。
【００６５】
以降、上記対象基地局がスモール基地局３００であり、上記１つ以上の他の基地局が１つ以上のスモール基地局２００であるものとして説明する。また、上記対象基地局のセルがスモールセルであり、上記ＭＢＳＦＮエリアがスモールセルから成るものとして説明する。なお、以下のような第１〜第４の実施形態を説明する。
【００６６】
【表１】
2015142332.tif 000003
【００６７】
＜＜３．第１の実施形態＞＞
続いて、図１７〜図２１を参照して、本開示の第１の実施形態を説明する。第１の実施形態によれば、制御装置１００−１は、１つ以上のスモール基地局２００−１により送信されるリファレンス信号の測定の結果であって、スモール基地局３００−１により提供される上記測定の上記結果を取得する。そして、制御装置１００−１は、上記測定の上記結果に基づいて、スモール基地局３００−１のセルが属するＭＢＳＦＮエリアを決定する。また、第１の実施形態によれば、上記測定の上記結果は、スモール基地局３００−１による測定の結果である。
【００６８】
＜３．１．制御装置の構成＞
まず、図１７〜図１９を参照して、第１の実施形態に係る制御装置１００−１の構成を説明する。図１７は、第１の実施形態に係る制御装置１００−１の構成の一例を示すブロック図である。図１７を参照すると、制御装置１００−１は、通信部１１０、記憶部１２０及び処理部１３０を備える。
【００６９】
（通信部１１０）
通信部１１０は、他の装置と通信する。例えば、通信部１１０は、スモール基地局２００−１及びスモール基地局３００−１と通信する。より具体的には、例えば、通信部１１０は、インターネット５０を介してスモール基地局２００−１及びスモール基地局３００−１と通信する。また、通信部１１０は、インターネット５０を介して、コアネットワーク４０内に位置するコアネットワークノード（例えば、ＭＭＥなど）、及び／又はマクロ基地局１１と通信し得る。
【００７０】
（記憶部１２０）
記憶部１２０は、制御装置１００−１の動作のためのプログラム及びデータを一時的にまたは恒久的に記憶する。
【００７１】
（処理部１３０）
処理部１３０は、制御装置１００−１の様々な機能を提供する。処理部１３０は、要求部１３１、情報取得部１３３、決定部１３５及び制御部１３７を含む。
【００７２】
（要求部１３１）
要求部１３１は、他の基地局により送信されるリファレンス信号の測定の結果を提供するように、スモール基地局３００−１に要求する。
【００７３】
例えば、スモール基地局３００−１が、ＭＢＳＦＮの設定を制御装置１００−１に要求する。すると、要求部１３１は、他の基地局により送信されるリファレンス信号の測定の結果を提供するように、スモール基地局３００−１に要求する。
【００７４】
なお、要求部１３１は、ＭＢＳＦＮ−ＲＳの測定の結果を提供するようにスモール基地局３００−１に要求する場合には、ＭＢＳＦＮエリアごとのＭＢＳＦＮサブフレームを示す情報をスモール基地局３００−１に提供してもよい。
【００７５】
（情報取得部１３３）
情報取得部１３３は、１つ以上のスモール基地局２００−１により送信されるリファレンス信号の測定の結果であって、スモール基地局３００−１により提供される上記測定の上記結果を取得する。
【００７６】
例えば、上述したように、要求部１３１が、他の基地局により送信されるリファレンス信号の測定の結果を提供するように、スモール基地局３００−１に要求する。すると、スモール基地局３００−１は、１つ以上のスモール基地局２００−１により送信されるリファレンス信号の測定の結果を、制御装置１００−１に提供する。そして、当該測定の当該結果は、記憶部１２０に記憶される。情報取得部１３３は、記憶部１２０から、上記測定の上記結果を取得する。
【００７７】
−測定の主体
第１の実施形態では、上記測定の上記結果は、スモール基地局３００−１による測定の結果である。即ち、スモール基地局３００−１が、１つ以上のスモール基地局２００−１により送信されるリファレンス信号の測定を行い、当該測定の結果を制御装置１００−１に提供する。これにより、例えば、端末装置４００−１に負担をかけることなく、測定の結果を得ることが可能になる。
【００７８】
−測定の結果
−−第１の例：ＭＢＳＦＮ−ＲＳの測定の結果
第１の例として、上記リファレンス信号は、ＭＢＳＦＮリファレンス信号（ＭＢＳＦＮ−ＲＳ）である。即ち、情報取得部１３３は、１つ以上のスモール基地局２００−１により送信されるＭＢＳＦＮ−ＲＳの測定の結果を取得する。
【００７９】
さらに、上記測定の上記結果は、例えば、１つ以上のＭＢＳＦＮエリア３０の各々についての測定の結果及び識別情報を含む。即ち、上記測定の上記結果は、１つ以上のＭＢＳＦＮエリア３０の各々について、ＭＢＳＦＮエリア３０に属するスモールセル２０のスモール基地局２００−１により送信されるＭＢＳＦＮ−ＲＳの測定の結果と、当該ＭＢＳＦＮエリア３０のＭＢＳＦＮエリアＩＤとを含む。
【００８０】
一例として、上記測定の上記結果は、ＭＢＳＦＮ−ＲＳの受信レベル及び／又はＳＩＮＲ（Signal-to-Interference-plus-Noise  Ratio）を含む。以下、この点について、図１８を参照して具体例を説明する。
【００８１】
図１８は、ＭＢＳＦＮリファレンス信号の測定の結果の一例を説明するための説明図である。図１８を参照すると、ＭＢＳＦＮリファレンス信号の測定の結果として、３つのＭＢＳＦＮエリア３０の各々についてのＭＢＳＦＮエリアＩＤとＭＢＳＦＮ−ＲＳの受信レベル及びＳＩＮＲとが示されている。例えば、ＭＢＳＦＮエリアＩＤが２であるＭＢＳＦＮエリア３０のＭＢＳＦＮ−ＲＳの受信レベルは、−１３５ｄＢｍ／Ｈｚであり、当該ＭＢＳＦＮエリア３０の当該ＭＢＳＦＮ−ＲＳのＳＩＮＲは、１５ｄＢである。情報取得部１３３は、例えばこのような測定の結果を取得する。
【００８２】
なお、当然ながら、上記測定の上記結果は、上述した例に限られない。例えば、上記測定の上記結果は、いずれかのＭＢＳＦＮエリア３０を示す情報（例えば、ＭＢＳＦＮエリアＩＤ）であってもよい。一例として、上記測定の上記結果は、１つ以上のＭＢＳＦＮエリア３０のうちの、より良好な測定値（例えば、受信レベル又はＳＩＲＮなど）を伴う所定数のＭＢＳＦＮエリア３０を示す情報であってもよい。別の例として、上記測定の上記結果は、１つ以上のＭＢＳＦＮエリア３０のうちの、所定の条件を満たす測定値（例えば、所定の閾値を超える測定値、又は所定の閾値未満の測定値など）を伴うＭＢＳＦＮエリア３０を示す情報であってもよい。
【００８３】
−−第２の例：ＣＲＳの測定の結果
第２の例として、上記リファレンス信号は、ＣＲＳである。即ち、情報取得部１３３は、１つ以上のスモール基地局２００−１により送信されるＣＲＳの測定の結果を取得する。
【００８４】
さらに、上記測定の上記結果は、例えば、１つ以上のスモール基地局２００−１の各々についての測定の結果及び識別情報を含む。即ち、上記測定の上記結果は、１つ以上のスモール基地局２００−１の各々について、スモール基地局２００−１により送信されるＣＲＳの測定の結果と、当該スモール基地局２００−１のスモールセル２０のセルＩＤとを含む。
【００８５】
一例として、上記測定の上記結果は、ＣＲＳの受信レベル、ＳＩＮＲ及び／又はパスロスを含む。以下、この点について、図１９を参照して具体例を説明する。
【００８６】
図１９は、ＣＲＳの測定の結果の一例を説明するための説明図である。図１９を参照すると、ＣＲＳの測定の結果として、３つのスモール基地局２００−１の各々についてのセルＩＤとパスロスとが示されている。例えば、セルＩＤが１であるスモールセル２０のスモール基地局２００−１に対応するパスロス（即ち、当該スモール基地局２００−１により送信されたＣＲＳのパスロス）は５０ｄＢである。情報取得部１３３は、例えばこのような測定の結果を取得する。
【００８７】
なお、当然ながら、上記測定の上記結果は、上述した例に限られない。例えば、上記測定の上記結果は、上記１つ以上のスモール基地局２００−１のうちのいずれかのスモール基地局２００−１を示す情報（例えば、セルＩＤ）であってもよい。一例として、上記測定の上記結果は、上記１つ以上のスモール基地局２００−１のうちの、より良好な測定値（例えば、受信レベル、ＳＩＲＮ又はパスロスなど）を伴う所定数のスモール基地局２００−１を示す情報であってもよい。別の例として、上記測定の上記結果は、上記１つ以上のスモール基地局２００−１のうちの、所定の条件を満たす測定値（例えば、所定の閾値を超える測定値、又は所定の閾値未満の測定値など）を伴うスモール基地局２００−１を示す情報であってもよい。
【００８８】
（決定部１３５）
決定部１３５は、上記測定の上記結果に基づいて、スモール基地局３００−１のセルが属するＭＢＳＦＮエリアを決定する。
【００８９】
−−第１の例：ＭＢＳＦＮ−ＲＳの測定の結果に基づく決定
上述したように、第１の例として、上記リファレンス信号は、ＭＢＳＦＮリファレンス信号（ＭＢＳＦＮ−ＲＳ）であり、上記測定の上記結果は、例えば、１つ以上のＭＢＳＦＮエリア３０の各々についての測定の結果及び識別情報を含む。この場合に、決定部１３５は、上記１つ以上のＭＢＳＦＮエリア３０のうちのいずれかのＭＢＳＦＮエリア３０を、スモール基地局３００−１のセルが属するＭＢＳＦＮエリアとして決定する。
【００９０】
例えば、決定部１３５は、上記１つ以上のＭＢＳＦＮエリア３０のうちの、より良好な測定の結果を伴う所定数のＭＢＳＦＮエリア３０を、スモール基地局３００−１のセルが属するＭＢＳＦＮエリアとして決定する。より具体的には、例えば、当該所定数は１である。即ち、決定部１３５は、上記１つ以上のＭＢＳＦＮエリア３０のうちの、最も良好な測定の結果を伴う１つのＭＢＳＦＮエリア３０を、スモール基地局３００−１のセルが属するＭＢＳＦＮエリアとして決定する。
【００９１】
一例として、図１８を再び参照すると、ＭＢＳＦＮエリアＩＤが２であるＭＢＳＦＮエリア３０についての受信レベル及びＳＩＮＲは、他のＭＢＳＦＮエリア３０についての受信レベル及びＳＩＮＲよりも高い。よって、決定部１３５は、ＭＢＳＦＮエリアＩＤが２であるＭＢＳＦＮエリア３０を、スモール基地局３００−１のセルが属するＭＢＳＦＮエリアとして決定する。
【００９２】
なお、スモール基地局３００−１のセルが属するＭＢＳＦＮエリアの決定の手法は、上述した例に限定されない。例えば、決定部１３５は、上記１つ以上のＭＢＳＦＮエリア３０のうちの、所定の条件を満たす測定の結果（例えば、所定の閾値を超える測定の結果、又は所定の閾値未満の測定の結果）を伴うＭＢＳＦＮエリア３０を、スモール基地局３００−１のセルが属するＭＢＳＦＮエリアとして決定してもよい。
【００９３】
また、上述したように、上記測定の上記結果は、いずれかのＭＢＳＦＮエリア３０を示す情報（例えば、ＭＢＳＦＮエリアＩＤ）であってもよい。この場合に、決定部１３５は、上記測定の上記結果により示されるＭＢＳＦＮエリア３０を、スモール基地局３００−１のセルが属するＭＢＳＦＮエリアとして決定してもよい。
【００９４】
以上のようなＭＢＳＦＮ−ＲＳの測定の結果に基づくＭＢＳＦＮエリアの決定により、例えば、スモール基地局３００−１の近傍のＭＢＳＦＮエリア３０を、スモール基地局３００−１が属するＭＢＳＦＮエリアとして決定することが可能になる。
【００９５】
−−第２の例：ＣＲＳの測定の結果に基づく決定
上述したように、第１の例として、上記リファレンス信号は、ＣＲＳであり、上記測定の上記結果は、例えば、１つ以上のスモール基地局２００−１の各々についての測定の結果及び識別情報を含む。この場合に、決定部１３５は、上記１つ以上のスモール基地局２００−１のうちのいずれかのスモール基地局２００−１のスモールセル２０が属するＭＢＳＦＮエリア３０を、スモール基地局３００−１のセルが属するＭＢＳＦＮエリアとして決定する。
【００９６】
例えば、決定部１３５は、上記１つ以上のスモール基地局２００−１のうちのより良好な測定の結果を伴う所定数のスモール基地局２００−１のスモールセル２０が属するＭＢＳＦＮエリア３０を、スモール基地局３００−１のセルが属するＭＢＳＦＮエリアとして決定する。より具体的には、例えば、当該所定数は１である。即ち、決定部１３５は、上記１つ以上のスモール基地局２００−１のうちの最も良好な測定の結果を伴う１つのスモール基地局２００−１のスモールセル２０が属するＭＢＳＦＮエリア３０を、スモール基地局３００−１のセルが属するＭＢＳＦＮエリアとして決定する。
【００９７】
一例として、図１９を再び参照すると、セルＩＤが１であるスモールセル２０のスモール基地局２００−１に対応するパスロス（即ち、当該スモール基地局２００−１により送信されたＣＲＳのパスロス）は、他のスモール基地局２００−１に対応するパスロスよりも小さい。よって、決定部１３５は、セルＩＤが１であるスモールセル２０が属するＭＢＳＦＮエリア３０を、スモール基地局３００−１のセルが属するＭＢＳＦＮエリアとして決定する。
【００９８】
なお、スモール基地局３００−１のセルが属するＭＢＳＦＮエリアの決定の手法は、上述した例に限定されない。例えば、決定部１３５は、上記１つ以上のスモール基地局２００−１のうちの所定の条件を満たす測定の結果（例えば、所定の閾値を超える測定の結果、又は所定の閾値未満の測定の結果）を伴うスモール基地局２００−１のスモールセル２０が属するＭＢＳＦＮエリア３０を、スモール基地局３００−１のセルが属するＭＢＳＦＮエリアとして決定してもよい。
【００９９】
また、上述したように、上記測定の上記結果は、いずれかのスモール基地局２００−１を示す情報（例えば、セルＩＤ）であってもよい。この場合に、決定部１３５は、上記測定の上記結果により示されるスモール基地局２００−１のスモールセル２０が属するＭＢＳＦＮエリア３０を、スモール基地局３００−１のセルが属するＭＢＳＦＮエリアとして決定してもよい。
【０１００】
以上のようなＣＲＳの測定の結果に基づくＭＢＳＦＮエリアの決定により、例えば、スモール基地局３００−１の近傍のスモールセル２０が属するＭＢＳＦＮエリア３０を、スモール基地局３００−１が属するＭＢＳＦＮエリアとして決定することが可能になる。
【０１０１】
以上のように、決定部１３５は、上記測定の上記結果に基づいて、スモール基地局３００−１のセルが属するＭＢＳＦＮエリアを決定する。これにより、例えば、スモール基地局３００−１のセルが属するＭＢＳＦＮエリアを自動で決定することが可能になる。
【０１０２】
（制御部１３７）
制御部１３７は、スモール基地局２００−１及びスモール基地局３００−１にＭＢＳＦＮの動作を行わせる。
【０１０３】
例えば、制御部１３７は、ＭＢＭＳセッションの開始をスモール基地局２００−１及びスモール基地局３００−１に要求する。より具体的には、例えば、制御部１３７は、ＭＢＭＳセッション開始要求メッセージ（MBMS  Session  Start  Request  message）をスモール基地局２００−１及びスモール基地局３００−１へ送信する。
【０１０４】
また、例えば、制御部１３７は、ＭＢＭＳのスケジューリングを行い、ＭＢＭＳのスケジューリングの情報をスモール基地局２００−１及びスモール基地局３００−１に提供する。より具体的には、例えば、制御部１３７は、ＭＢＭＳスケジューリング情報メッセージ（MBMS  Scheduling  Information  message）をスモール基地局２００−１及びスモール基地局３００−１へ送信する。
【０１０５】
なお、上述したように、スモール基地局３００−１のセルが属するＭＢＳＦＮエリアが決定される。すると、制御部１３７は、決定された上記ＭＢＳＦＮエリアに対応するＭＢＭＳセッション開始要求メッセージ及びＭＢＭＳスケジューリング情報メッセージをスモール基地局３００−１へ送信する。これにより、スモール基地局３００−１は、決定された上記ＭＢＳＦＮエリアの基地局としての動作を開始する。
【０１０６】
＜３．２．スモール基地局の構成＞
次に、図２０を参照して、第１の実施形態に係るスモール基地局３００−１の構成を説明する。図２０は、第１の実施形態に係るスモール基地局３００−１の構成の一例を示すブロック図である。図２０を参照すると、スモール基地局３００−１は、アンテナ部３１０、無線通信部３２０、ネットワーク通信部３３０、記憶部３４０及び処理部３５０を備える。
【０１０７】
（アンテナ部３１０）
アンテナ部３１０は、無線通信部３２０により出力される信号を電波として空間に放射する。また、アンテナ部３１０は、空間の電波を信号に変換し、当該信号を無線通信部３２０へ出力する。
【０１０８】
（無線通信部３２０）
無線通信部３２０は、無線通信を行う。例えば、無線通信部３２０は、端末装置４００−１へのダウンリンク信号を送信する。また、無線通信部３２０は、端末装置４００−１からのアップリンク信号を受信する。
【０１０９】
さらに、とりわけ第１の実施形態では、無線通信部３２０は、スモール基地局２００−１からのダウンリンク信号を受信する。当該ダウンリンク信号は、リファレンス信号を含む。
【０１１０】
（ネットワーク通信部３３０）
ネットワーク通信部３３０は、他のノードと通信する。例えば、ネットワーク通信部３３０は、制御装置１００−１と通信する。また、例えば、ネットワーク通信部３３０は、スモール基地局２００−１と通信する。また、例えば、ネットワーク通信部３３０は、コアネットワーク４０内に位置するコアネットワークノード、及び／又はマクロ基地局１１と通信する。なお、ネットワーク通信部３３０は、インターネット５０を介して他のノードと通信する。
【０１１１】
（記憶部３４０）
記憶部３４０は、スモール基地局３００−１の動作のためのプログラム及びデータを一時的にまたは恒久的に記憶する。
【０１１２】
（処理部３５０）
処理部３５０は、スモール基地局３００−１の様々な機能を提供する。処理部３５０は、測定部３５１、情報取得部３５３及び情報提供部３５５を含む。
【０１１３】
（測定部３５１）
測定部３５１は、１つ以上のスモール基地局２００−１により送信されるリファレンス信号の測定を行う。
【０１１４】
−第１の例：ＭＢＳＦＮ−ＲＳの測定
第１の例として、上記リファレンス信号は、ＭＢＳＦＮ−ＲＳである。即ち、測定部３５１は、１つ以上のスモール基地局２００−１により送信されるＭＢＳＦＮ−ＲＳの測定を行う。
【０１１５】
例えば、測定部３５１は、１つ以上のＭＢＳＦＮエリア３０の各々についての測定を行う。そして、当該測定の結果は、１つ以上のＭＢＳＦＮエリア３０の各々についての測定の結果及び識別情報（例えば、ＭＢＳＦＮエリアＩＤ）を含む。
【０１１６】
一例として、上記測定の結果は、ＭＢＳＦＮ−ＲＳの受信レベル及び／又はＳＩＮＲを含む。当該測定の当該結果の具体例は、図１８に示されるとおりである。
【０１１７】
なお、上記測定の結果は、いずれかのＭＢＳＦＮエリア３０を示す情報（例えば、ＭＢＳＦＮエリアＩＤ）であってもよい。一例として、上記測定の上記結果は、１つ以上のＭＢＳＦＮエリア３０のうちの、より良好な測定値（例えば、受信レベル又はＳＩＲＮなど）を伴う所定数のＭＢＳＦＮエリア３０を示す情報であってもよい。別の例として、上記測定の上記結果は、１つ以上のＭＢＳＦＮエリア３０のうちの、所定の条件を満たす測定値（例えば、所定の閾値を超える測定値、又は所定の閾値未満の測定値など）を伴うＭＢＳＦＮエリア３０を示す情報であってもよい。
【０１１８】
−第２の例：ＣＲＳの測定
第２の例として、上記リファレンス信号は、ＣＲＳである。即ち、測定部３５１は、１つ以上のスモール基地局２００−１により送信されるＣＲＳの測定を行う。
【０１１９】
例えば、測定部３５１は、１つ以上のスモール基地局２００−１の各々についての測定を行う。そして、当該測定の結果は、１つ以上のスモール基地局２００−１の各々についての測定の結果及び識別情報（例えば、セルＩＤ）を含む。
【０１２０】
一例として、上記測定の結果は、ＣＲＳの受信レベル、ＳＩＮＲ及び／又はパスロスを含む。当該測定の当該結果の具体例は、図１９に示されるとおりである。
【０１２１】
なお、上記測定の結果は、いずれかのスモール基地局２００−１を示す情報（例えば、セルＩＤ）であってもよい。一例として、上記測定の上記結果は、１つ以上のスモール基地局２００−１のうちの、より良好な測定値（例えば、受信レベル、ＳＩＲＮ又はパスロスなど）を伴う所定数のスモール基地局２００−１を示す情報であってもよい。別の例として、上記測定の上記結果は、１つ以上のスモール基地局２００−１のうちの、所定の条件を満たす測定値（例えば、所定の閾値を超える測定値、又は所定の閾値未満の測定値など）を伴うスモール基地局２００−１を示す情報であってもよい。
【０１２２】
（情報取得部３５３）
情報取得部３５３は、１つ以上のスモール基地局２００−１により送信されるリファレンス信号の測定の結果を取得する。第１の実施形態では、情報取得部３５３は、スモール基地局３００−１（測定部３５１）による上記測定の結果を取得する。
【０１２３】
（情報提供部３５５）
情報提供部３５５は、制御装置１００−１に上記測定の上記結果を提供する。例えば、情報提供部３５５は、ネットワーク通信部３３０を介して、制御装置１００−１に上記測定の上記結果を提供する。
【０１２４】
＜３．３．処理の流れ＞
次に、図２１を参照して、第１の実施形態に係る処理の一例を説明する。図２１は、第１の実施形態に係る処理の概略的な流れの一例を示すシーケンス図である。第１の実施形態に係る当該処理は、例えば、スモール基地局３００−１についての登録及び認証、セルフテスティング及び無線パラメータの設定などが完了した後に、実行される。
【０１２５】
スモール基地局３００−１は、ＭＢＳＦＮの設定を制御装置１００−１に要求する（Ｓ５０１）。すると、制御装置１００−１は、他の基地局により送信されるリファレンス信号の測定の結果を提供するように、スモール基地局３００−１に要求する（Ｓ５０３）。そして、スモール基地局３００−１は、１つ以上のスモール基地局２００−１により送信されるリファレンス信号の測定を行う（Ｓ５０５）。その後、スモール基地局３００−１は、制御装置１００−１に上記測定の上記結果を提供する（Ｓ５０７）。そして、制御装置１００−１は、上記測定の上記結果に基づいて、スモール基地局３００−１のセルが属するＭＢＳＦＮエリアを決定する（Ｓ５０９）。
【０１２６】
その後、制御装置１００−１は、決定された上記ＭＢＳＦＮエリアに対応するＭＢＭＳセッション開始要求メッセージ及びＭＢＭＳスケジューリング情報メッセージをスモール基地局３００−１へ送信する（Ｓ５１１、Ｓ５１３）。そして、スモール基地局３００−１は、決定された上記ＭＢＳＦＮエリアの基地局としての動作を開始する（Ｓ５１５）。
【０１２７】
以上、第１の実施形態を説明した。第１の実施形態によれば、制御装置１００−１は、１つ以上のスモール基地局２００−１により送信されるリファレンス信号の測定の結果であって、スモール基地局３００−１により提供される上記測定の上記結果を取得する。そして、制御装置１００−１は、上記測定の上記結果に基づいて、スモール基地局３００−１のセルが属するＭＢＳＦＮエリアを決定する。これにより、例えば、スモール基地局３００−１のセルが属するＭＢＳＦＮエリアを自動で決定することが可能になる。また、例えば、スモール基地局３００−１以外の基地局（スモール基地局２００−１）による特別な動作なしに、上記ＭＢＳＦＮエリアが決定され得る。
【０１２８】
また、第１の実施形態によれば、上記測定の上記結果は、スモール基地局３００−１による測定の結果である。これにより、例えば、端末装置４００−１に負担をかけることなく、測定の結果を得ることが可能になる。
【０１２９】
＜＜４．第２の実施形態＞＞
続いて、図２２〜図２４を参照して、本開示の第２の実施形態を説明する。第２の実施形態によれば、制御装置１００−２は、１つ以上のスモール基地局２００−２により送信されるリファレンス信号の測定の結果であって、スモール基地局３００−２により提供される上記測定の上記結果を取得する。そして、制御装置１００−２は、上記測定の上記結果に基づいて、スモール基地局３００−２のスモールセルが属するＭＢＳＦＮエリアを決定する。この点については、第２の実施形態は、第１の実施形態と同じである。とりわけ、第２の実施形態によれば、上記測定の上記結果は、スモール基地局３００−２に接続される端末装置４００−２よる測定の結果である。
【０１３０】
＜４．１．制御装置の構成＞
第２の実施形態に係る制御装置１００−２についての説明は、例えば、以下の点（測定の主体）を除き、第１の実施形態に係る制御装置１００−１の説明と同一である（符号の相違を除く）。よって、ここでは、重複する他の説明は省略する。
【０１３１】
（情報取得部１３３）
−測定の主体
第１の実施形態に係る制御装置１００−１（情報取得部１３３）は、スモール基地局３００−１による測定の結果を取得する。一方、第２の実施形態に係る制御装置１００−２（情報取得部１３３）は、スモール基地局３００−２に接続される端末装置４００−２による測定の結果を取得する。即ち、第２の実施形態によれば、スモール基地局３００−２に接続される端末装置４００−２が、１つ以上のスモール基地局２００−２により送信されるリファレンス信号の測定を行い、当該測定の結果をスモール基地局３００−２に提供する。そして、スモール基地局３００−２は、例えば、上記測定の上記結果を制御装置１００−２に提供する。これにより、例えば、スモール基地局３００−２が測定の機能を有しない場合であっても、測定の結果を得ることが可能になる。
【０１３２】
＜４．２．スモール基地局の構成＞
次に、図２２を参照して、第２の実施形態に係るスモール基地局３００−２の構成を説明する。図２２は、第２の実施形態に係るスモール基地局３００−２の構成の一例を示すブロック図である。図２２を参照すると、スモール基地局３００−２は、アンテナ部３１０、無線通信部３２１、ネットワーク通信部３３０、記憶部３４０及び処理部３６０を備える。
【０１３３】
なお、アンテナ部３１０、ネットワーク通信部３３０及び記憶部３４０についての説明は、例えば、第１の実施形態と第２の実施形態との間で差異はない（符号の相違を除く）。よって、ここでは、無線通信部３２１及び処理部３６０のみを説明し、重複する説明を省略する。
【０１３４】
（無線通信部３２１）
無線通信部３２１は、無線通信を行う。例えば、無線通信部３２１は、端末装置４００−２へのダウンリンク信号を送信する。また、無線通信部３２１は、端末装置４００−２からのアップリンク信号を受信する。
【０１３５】
なお、第２の実施形態では、無線通信部３２１は、スモール基地局２００−２からのダウンリンク信号を受信しなくてもよい。
【０１３６】
（処理部３６０）
処理部３６０は、スモール基地局３００−２の様々な機能を提供する。処理部３６０は、要求部３６１、情報取得部３６３及び情報提供部３６５を含む。
【０１３７】
（要求部３６１）
要求部３６１は、他の基地局により送信されるリファレンス信号の測定の結果を提供するように、スモール基地局３００−２に接続される端末装置４００−２に要求する。
【０１３８】
例えば、制御装置１００−２が、他の基地局により送信されるリファレンス信号の測定の結果を提供するように、スモール基地局３００−２に要求する。すると、要求部３６１は、他の基地局により送信されるリファレンス信号の測定の結果を提供するように、スモール基地局３００−２に接続される端末装置４００−２に要求する。
【０１３９】
なお、要求部３６１は、スモール基地局３００−２に接続される１つの端末装置４００−２のみに、上記測定の上記結果を提供するように要求してもよい。あるいは、要求部３６１は、スモール基地局３００−２に接続される２つ以上の端末装置４００−２に、上記測定の上記結果を提供するように要求してもよい。
【０１４０】
また、要求部３６１は、ＭＢＳＦＮ−ＲＳの測定の結果を提供するように端末装置４００−２に要求する場合には、ＭＢＳＦＮエリアごとのＭＢＳＦＮサブフレームを示す情報を端末装置４００−２に提供してもよい。
【０１４１】
（情報取得部３６３）
情報取得部３６３は、１つ以上のスモール基地局２００−１により送信されるリファレンス信号の測定の結果を取得する。第２の実施形態では、情報取得部３６３は、スモール基地局３００−２に接続される端末装置４００−２による測定の結果を取得する。
【０１４２】
例えば、上述したように、要求部３６１が、他の基地局により送信されるリファレンス信号の測定の結果を提供するように、スモール基地局３００−２に接続される端末装置４００−２に要求する。すると、端末装置４００−２は、１つ以上のスモール基地局２００−２により送信されるリファレンス信号の測定の結果を、スモール基地局３００−２に提供する。そして、当該測定の当該結果は、記憶部３４０に記憶される。情報取得部３６３は、記憶部３４０から、上記測定の上記結果を取得する。
【０１４３】
なお、上述したように、要求部３６１が、スモール基地局３００−２に接続される２つ以上の端末装置４００−２に、上記測定の上記結果を提供するように要求し、情報取得部３６３は、２つ以上の端末装置４００−２による上記測定の上記結果を取得してもよい。この場合に、一例として、情報取得部３６３は、２つ以上の端末装置４００−２の各々による個別の測定の結果を取得してもよい。別の例として、処理部３６０が、２つ以上の端末装置４００−２の各々による個別の測定の結果から、全体の測定の結果（例えば、平均値など）を生成し、情報取得部３６３は、当該全体の測定の結果を取得してもよい。
【０１４４】
（情報提供部３６５）
情報提供部３６５は、制御装置１００−２に上記測定の上記結果を提供する。例えば、情報提供部３６５は、ネットワーク通信部３３０を介して、制御装置１００−２に上記測定の上記結果を提供する。
【０１４５】
＜４．３．端末装置の構成＞
次に、図２３を参照して、第２の実施形態に係る端末装置４００−２の構成を説明する。図２３は、第２の実施形態に係る端末装置４００−２の構成の一例を示すブロック図である。図２３を参照すると、端末装置４００−２は、アンテナ部４１０、無線通信部４２０、記憶部４３０及び処理部４４０を備える。
【０１４６】
（アンテナ部４１０）
アンテナ部４１０は、無線通信部４２０により出力される信号を電波として空間に放射する。また、アンテナ部４１０は、空間の電波を信号に変換し、当該信号を無線通信部４２０へ出力する。
【０１４７】
（無線通信部４２０）
無線通信部４２０は、無線通信を行う。例えば、無線通信部４２０は、基地局からのダウンリンク信号を受信する。また、無線通信部４２０は、基地局へのアップリンク信号を送信する。当該基地局は、スモール基地局２００−２、スモール基地局３００−２及びマクロ基地局１１を含む。
【０１４８】
（記憶部４３０）
記憶部４３０は、端末装置４００−２の動作のためのプログラム及びデータを一時的にまたは恒久的に記憶する。
【０１４９】
（処理部４４０）
処理部４４０は、端末装置４００−２の様々な機能を提供する。処理部４４０は、測定部４４１及び情報提供部４４３を含む。
【０１５０】
（測定部４４１）
測定部４４１は、１つ以上のスモール基地局２００−２により送信されるリファレンス信号の測定を行う。
【０１５１】
第２の実施形態に係る端末装置４００−２の測定部４４１についての説明は、例えば、第１の実施形態に係るスモール基地局３００−１の測定部３５１についての説明と同一である。よって、ここでは重複する説明を省略する。
【０１５２】
（情報提供部４４３）
情報提供部４４３は、端末装置４００−２が接続されるスモール基地局に上記測定の上記結果を提供する。当該スモール基地局は、スモール基地局３００−２である。例えば、情報提供部４４３は、無線通信部４２０を介して、スモール基地局３００−２に上記測定の上記結果を提供する。
【０１５３】
＜４．４．処理の流れ＞
次に、図２４を参照して、第２の実施形態に係る処理の一例を説明する。図２４は、第２の実施形態に係る処理の概略的な流れの一例を示すシーケンス図である。第２の実施形態に係る当該処理は、例えば、スモール基地局３００−２についての登録及び認証、セルフテスティング及び無線パラメータの設定などが完了した後に、実行される。
【０１５４】
スモール基地局３００−２は、制御装置１００−２に、ＭＢＳＦＮの設定を制御装置１００−１に要求する（Ｓ５２１）。すると、制御装置１００−２は、他の基地局により送信されるリファレンス信号の測定の結果を提供するように、スモール基地局３００−２に要求する（Ｓ５２３）。その後、スモール基地局３００−２は、他の基地局により送信されるリファレンス信号の測定の結果を提供するように、スモール基地局３００−２に接続される端末装置４００−２に要求する（Ｓ５２５）。すると、端末装置４００−２は、１つ以上のスモール基地局２００−２により送信されるリファレンス信号の測定を行う（Ｓ５２７）。そして、端末装置４００−２は、スモール基地局３００−２に上記測定の上記結果を提供する（Ｓ５２９）。その後、スモール基地局３００−２は、制御装置１００−２に上記測定の上記結果を提供する（Ｓ５３１）。そして、制御装置１００−２は、上記測定の上記結果に基づいて、スモール基地局３００−２のセルが属するＭＢＳＦＮエリアを決定する（Ｓ５３３）。
【０１５５】
その後、制御装置１００−２は、決定された上記ＭＢＳＦＮエリアに対応するＭＢＭＳセッション開始要求メッセージ及びＭＢＭＳスケジューリング情報メッセージをスモール基地局３００−２へ送信する（Ｓ５３５、Ｓ５３７）。そして、スモール基地局３００−２は、決定された上記ＭＢＳＦＮエリアの基地局としての動作を開始する（Ｓ５３９）。
【０１５６】
以上、第２の実施形態を説明した。第２の実施形態によれば、制御装置１００−２は、１つ以上のスモール基地局２００−２により送信されるリファレンス信号の測定の結果であって、スモール基地局３００−２により提供される上記測定の上記結果を取得する。そして、制御装置１００−２は、上記測定の上記結果に基づいて、スモール基地局３００−２のセルが属するＭＢＳＦＮエリアを決定する。これにより、例えば、スモール基地局３００−２のセルが属するＭＢＳＦＮエリアを自動で決定することが可能になる。また、例えば、スモール基地局３００−２以外の基地局（スモール基地局２００−２）による特別な動作なしに、上記ＭＢＳＦＮエリアが決定され得る。
【０１５７】
また、第２の実施形態によれば、上記測定の上記結果は、スモール基地局３００−２に接続される端末装置４００−２による測定の結果である。これにより、例えば、スモール基地局３００−２が測定の機能を有しない場合であっても、測定の結果を得ることが可能になる。
【０１５８】
＜＜５．第３の実施形態＞＞
続いて、図２５〜図２８を参照して、本開示の第３の実施形態を説明する。第３の実施形態によれば、制御装置１００−３は、スモール基地局３００−３により送信されるリファレンス信号の測定の結果であって、１つ以上のスモール基地局２００−３により提供される上記測定の上記結果を取得する。そして、制御装置１００−３は、上記測定の上記結果に基づいて、スモール基地局３００−３のセルが属するＭＢＳＦＮエリアを決定する。また、第３の実施形態によれば、上記測定の上記結果は、上記１つ以上のスモール基地局２００−３の各々による測定の結果である。
【０１５９】
＜５．１．制御装置の構成＞
まず、図２５及び図２６を参照して、第３の実施形態に係る制御装置１００−３の構成を説明する。図２５は、第３の実施形態に係る制御装置１００−３の構成の一例を示すブロック図である。図２５を参照すると、制御装置１００−３は、通信部１１０、記憶部１２０及び処理部１４０を備える。
【０１６０】
なお、通信部１１０及び記憶部１２０についての説明は、第１の実施形態と第３の実施形態との間に差異はない（符号の相違を除く）。よって、ここでは、処理部１４０のみを説明し、重複する説明を省略する。
【０１６１】
（処理部１４０）
処理部１４０は、制御装置１００−３の様々な機能を提供する。処理部１４０は、要求部１４１、情報取得部１４３、決定部１４５及び制御部１４７を含む。
【０１６２】
（要求部１４１）
要求部１４１は、スモール基地局３００−３により送信されるリファレンス信号の測定の結果を提供するように、１つ以上のスモール基地局２００−３に要求する。
【０１６３】
例えば、スモール基地局３００−３が、ＭＢＳＦＮの設定を制御装置１００−３に要求する。すると、要求部１４１は、スモール基地局３００−３により送信されるリファレンス信号の測定の結果を提供するように、１つ以上のスモール基地局２００−３に要求する。
【０１６４】
（情報取得部１４３）
情報取得部１４３は、スモール基地局３００−３により送信されるリファレンス信号の測定の結果であって、１つ以上のスモール基地局２００−１により提供される上記測定の上記結果を取得する。
【０１６５】
例えば、上述したように、要求部１４１が、スモール基地局３００−３により送信されるリファレンス信号の測定の結果を提供するように、１つ以上のスモール基地局２００−３に要求する。すると、当該１つ以上のスモール基地局２００−３は、スモール基地局３００−３により送信されるリファレンス信号の測定の結果を、制御装置１００−３に提供する。そして、当該測定の当該結果は、記憶部１２０に記憶される。情報取得部１４３は、記憶部１２０から、上記測定の上記結果を取得する。
【０１６６】
−測定の主体
第３の実施形態では、上記測定の上記結果は、上記１つ以上のスモール基地局２００−３の各々による測定の結果である。即ち、上記１つ以上のスモール基地局２００−３の各々が、スモール基地局３００−３により送信されるリファレンス信号の測定を行い、当該測定の結果を制御装置１００−３に提供する。これにより、例えば、端末装置４００−３に負担をかけることなく、測定の結果を得ることが可能になる。
【０１６７】
−測定の結果
例えば、上記リファレンス信号は、ＣＲＳである。即ち、情報取得部１４３は、スモール基地局３００−３により送信されるＣＲＳの測定の結果を取得する。
【０１６８】
さらに、上記測定の上記結果は、例えば、１つ以上のスモール基地局２００−３の各々についての測定の結果及び識別情報を含む。即ち、上記測定の上記結果は、１つ以上のスモール基地局２００−３の各々について、スモール基地局３００−３による送信されるＣＲＳの測定の結果と、スモール基地局２００−３のスモールセル２０のセルＩＤとを含む。
【０１６９】
一例として、上記測定の上記結果は、ＣＲＳの受信レベル、ＳＩＮＲ及び／又はパスロスを含む。以下、この点について、図２６を参照して具体例を説明する。
【０１７０】
図２６は、ＣＲＳの測定の結果の一例を説明するための説明図である。図２６を参照すると、ＣＲＳの測定の結果として、３つのスモール基地局２００−３の各々についてのセルＩＤとパスロスとが示されている。例えば、セルＩＤが１であるスモールセル２０のスモール基地局２００−３に対応するパスロス（即ち、当該スモール基地局２００−３により提供されたパスロス）は４５ｄＢである。情報取得部１４３は、例えばこのような測定の結果を取得する。
【０１７１】
（決定部１４５）
決定部１４５は、上記測定の上記結果に基づいて、スモール基地局３００−３のセルが属するＭＢＳＦＮエリアを決定する。
【０１７２】
上述したように、例えば、上記リファレンス信号は、ＣＲＳであり、上記測定の上記結果は、例えば、１つ以上のスモール基地局２００−３の各々についての測定の結果及び識別情報を含む。この場合に、決定部１４５は、上記１つ以上のスモール基地局２００−３のうちのいずれかのスモール基地局２００−３のスモールセル２０が属するＭＢＳＦＮエリア３０を、スモール基地局３００−３のセルが属するＭＢＳＦＮエリアとして決定する。
【０１７３】
例えば、決定部１４５は、上記１つ以上のスモール基地局２００−３のうちのより良好な測定の結果を伴う所定数のスモール基地局２００−３のスモールセル２０が属するＭＢＳＦＮエリア３０を、スモール基地局３００−３のセルが属するＭＢＳＦＮエリアとして決定する。より具体的には、例えば、当該所定数は１である。即ち、決定部１４５は、上記１つ以上のスモール基地局２００−３のうちの最も良好な測定の結果を伴う１つのスモール基地局２００−３のスモールセル２０が属するＭＢＳＦＮエリア３０を、スモール基地局３００−３のセルが属するＭＢＳＦＮエリアとして決定する。
【０１７４】
一例として、図２６を再び参照すると、セルＩＤが１であるスモールセル２０のスモール基地局２００−３に対応するパスロス（即ち、当該スモール基地局２００−３により提供されたパスロス）は、他のスモール基地局２００−３に対応するパスロスよりも小さい。よって、決定部１４５は、セルＩＤが１であるスモールセル２０が属するＭＢＳＦＮエリア３０を、スモール基地局３００−３のセルが属するＭＢＳＦＮエリアとして決定する。
【０１７５】
なお、スモール基地局３００−３のセルが属するＭＢＳＦＮエリアの決定の手法は、上述した例に限定されない。例えば、決定部１４５は、上記１つ以上のスモール基地局２００−３のうちの所定の条件を満たす測定の結果（例えば、所定の閾値を超える測定の結果、又は所定の閾値未満の測定の結果）を伴うスモール基地局２００−３のスモールセル２０が属するＭＢＳＦＮエリア３０を、スモール基地局３００−３のセルが属するＭＢＳＦＮエリアとして決定してもよい。また、当然ながらさらに別の決定の手法が採用されてもよい。
【０１７６】
以上のようなＣＲＳの測定の結果に基づくＭＢＳＦＮエリアの決定により、例えば、スモール基地局３００−３の近傍のスモールセル２０が属するＭＢＳＦＮエリア３０を、スモール基地局３００−３が属するＭＢＳＦＮエリアとして決定することが可能になる。
【０１７７】
以上のように、決定部１４５は、上記測定の上記結果に基づいて、スモール基地局３００−３のセルが属するＭＢＳＦＮエリアを決定する。これにより、例えば、スモール基地局３００−３のセルが属するＭＢＳＦＮエリアを自動で決定することが可能になる。
【０１７８】
（制御部１４７）
制御部１４７は、スモール基地局２００−３及びスモール基地局３００−３にＭＢＳＦＮの動作を行わせる。
【０１７９】
第３の実施形態に係る制御装置１００−３の制御部１４７についての説明は、例えば、第１の実施形態に係る制御装置１００−１の制御部１３７についての説明と同一である。よって、ここでは重複する説明を省略する。
【０１８０】
＜５．２．スモール基地局の構成＞
次に、図２７を参照して、第３の実施形態に係るスモール基地局２００−３の構成を説明する。図２７は、第３の実施形態に係るスモール基地局２００−３の構成の一例を示すブロック図である。図２７を参照すると、スモール基地局２００−３は、アンテナ部２１０、無線通信部２２０、ネットワーク通信部２３０、記憶部２４０及び処理部２５０を備える。
【０１８１】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【０１８２】
（無線通信部２２０）
無線通信部２２０は、無線通信を行う。例えば、無線通信部２２０は、端末装置４００−３へのダウンリンク信号を送信する。また、無線通信部２２０は、端末装置４００−３からのアップリンク信号を受信する。
【０１８３】
さらに、とりわけ第３の実施形態では、無線通信部２２０は、スモール基地局３００−３からのダウンリンク信号を受信する。当該ダウンリンク信号は、リファレンス信号を含む。
【０１８４】
（ネットワーク通信部２３０）
ネットワーク通信部２３０は、他のノードと通信する。例えば、ネットワーク通信部２３０は、制御装置１００−３と通信する。また、例えば、ネットワーク通信部２３０は、スモール基地局３００−３と通信する。また、例えば、ネットワーク通信部２３０は、コアネットワーク４０内に位置するコアネットワークノード、及び／又はマクロ基地局１１と通信する。なお、ネットワーク通信部２３０は、インターネット５０を介して他のノードと通信する。
【０１８５】
（記憶部２４０）
記憶部２４０は、スモール基地局２００−３の動作のためのプログラム及びデータを一時的にまたは恒久的に記憶する。
【０１８６】
（処理部２５０）
処理部２５０は、スモール基地局２００−３の様々な機能を提供する。処理部２５０は、測定部２５１、情報取得部２５３及び情報提供部２５５を含む。
【０１８７】
（測定部２５１）
測定部２５１は、スモール基地局３００−３により送信されるリファレンス信号の測定を行う。
【０１８８】
例えば、上記リファレンス信号は、ＣＲＳである。即ち、測定部２５１は、スモール基地局３００−３により送信されるＣＲＳの測定を行う。一例として、上記測定の結果は、ＣＲＳの受信レベル、ＳＩＮＲ及び／又はパスロスを含む。
【０１８９】
（情報取得部２５３）
情報取得部２５３は、スモール基地局３００−３により送信されるリファレンス信号の測定の結果を取得する。第３の実施形態では、情報取得部２５３は、スモール基地局２００−３（測定部２５１）による上記測定の結果を取得する。
【０１９０】
（情報提供部２５５）
情報提供部２５５は、制御装置１００−３に上記測定の上記結果を提供する。例えば、情報提供部２５５は、ネットワーク通信部２３０を介して、制御装置１００−３に上記測定の上記結果を提供する。なお、情報提供部２５５は、上記測定の上記結果とともに、スモール基地局２００−３のセルのセルＩＤも提供してもよい。
【０１９１】
＜５．３．処理の流れ＞
次に、図２８を参照して、第３の実施形態に係る処理の一例を説明する。図２８は、第３の実施形態に係る処理の概略的な流れの一例を示すシーケンス図である。第３の実施形態に係る当該処理は、例えば、スモール基地局３００−３についての登録及び認証、セルフテスティング及び無線パラメータの設定などが完了した後に、実行される。
【０１９２】
スモール基地局３００−３は、制御装置１００−３に、ＭＢＳＦＮの設定を制御装置１００−３に要求する（Ｓ５４１）。すると、制御装置１００−３は、スモール基地局３００−３により送信されるリファレンス信号の測定の結果を提供するように、１つ以上のスモール基地局２００−３に要求する（Ｓ５４３）。そして、上記１つ以上のスモール基地局２００−３の各々は、スモール基地局３００−３により送信されるリファレンス信号の測定を行う（Ｓ５４５）。その後、上記１つ以上のスモール基地局２００−３の各々は、制御装置１００−３に上記測定の上記結果を提供する（Ｓ５４７）。そして、制御装置１００−３は、上記測定の上記結果に基づいて、スモール基地局３００−３のセルが属するＭＢＳＦＮエリアを決定する（Ｓ５４９）。
【０１９３】
その後、制御装置１００−３は、決定された上記ＭＢＳＦＮエリアに対応するＭＢＭＳセッション開始要求メッセージ及びＭＢＭＳスケジューリング情報メッセージをスモール基地局３００−３へ送信する（Ｓ５５１、Ｓ５５３）。そして、スモール基地局３００−３は、決定された上記ＭＢＳＦＮエリアの基地局としての動作を開始する（Ｓ５５５）。
【０１９４】
以上、第３の実施形態を説明した。第３の実施形態によれば、制御装置１００−３は、スモール基地局３００−３により送信されるリファレンス信号の測定の結果であって、１つ以上のスモール基地局２００−３により提供される上記測定の上記結果を取得する。そして、制御装置１００−３は、上記測定の上記結果に基づいて、スモール基地局３００−３のセルが属するＭＢＳＦＮエリアを決定する。これにより、例えば、スモール基地局３００−３のセルが属するＭＢＳＦＮエリアを自動で決定することが可能になる。また、例えば、スモール基地局３００−３による特別な動作なしに、上記ＭＢＳＦＮエリアが決定され得る。
【０１９５】
また、第３の実施形態によれば、上記測定の上記結果は、上記１つ以上のスモール基地局２００−３による測定の結果である。これにより、例えば、端末装置４００−３に負担をかけることなく、測定の結果を得ることが可能になる。
【０１９６】
＜＜６．第４の実施形態＞＞
続いて、図２９〜図３１を参照して、本開示の第４の実施形態を説明する。第４の実施形態によれば、制御装置１００−４は、スモール基地局３００−４により送信されるリファレンス信号の測定の結果であって、１つ以上のスモール基地局２００−４により提供される上記測定の上記結果を取得する。そして、制御装置１００−４は、上記測定の上記結果に基づいて、スモール基地局３００−４のセルが属するＭＢＳＦＮエリアを決定する。この点については、第４の実施形態は、第３の実施形態と同じである。とりわけ、第４の実施形態によれば、上記測定の上記結果は、上記１つ以上のスモール基地局２００−４の各々に接続される端末装置４００−４による測定の結果である。
【０１９７】
＜６．１．制御装置の構成＞
第４の実施形態に係る制御装置１００−４についての説明は、例えば、以下の点（測定の主体）を除き、第３の実施形態に係る制御装置１００−３の説明と同一である（符号の相違を除く）。よって、ここでは、重複する他の説明は省略する。
【０１９８】
（情報取得部１４３）
−測定の主体
第３の実施形態に係る制御装置１００−３（情報取得部１４３）は、１つ以上のスモール基地局２００−３による測定の結果を取得する。一方、第４の実施形態に係る制御装置１００−４（情報取得部１４３）は、上記１つ以上のスモール基地局２００−３の各々に接続される端末装置４００−４による測定の結果を取得する。即ち、第４の実施形態によれば、上記１つ以上のスモール基地局２００−３の各々に接続される端末装置４００−４が、スモール基地局３００−４により送信されるリファレンス信号の測定を行い、当該測定の結果をスモール基地局２００−４に提供する。そして、上記１つ以上のスモール基地局３００−２の各々は、例えば、上記測定の上記結果を制御装置１００−４に提供する。これにより、例えば、スモール基地局２００−４が測定の機能を有しない場合であっても、測定の結果を得ることが可能になる。
【０１９９】
＜６．２．スモール基地局の構成＞
次に、図２９を参照して、第４の実施形態に係るスモール基地局２００−４の構成を説明する。図２９は、第４の実施形態に係るスモール基地局２００−４の構成の一例を示すブロック図である。図２９を参照すると、スモール基地局２００−４は、アンテナ部２１０、無線通信部２２１、ネットワーク通信部２３０、記憶部２４０及び処理部２６０を備える。
【０２００】
なお、アンテナ部２１０、ネットワーク通信部２３０及び記憶部２４０についての説明は、例えば、第３の実施形態と第４の実施形態との間で差異はない（符号の相違を除く）。よって、ここでは、無線通信部２２１及び処理部２６０のみを説明し、重複する説明を省略する。
【０２０１】
（無線通信部２２１）
無線通信部２２１は、無線通信を行う。例えば、無線通信部２２１は、端末装置４００−４へのダウンリンク信号を送信する。また、無線通信部２２１は、端末装置４００−３からのアップリンク信号を受信する。
【０２０２】
なお、第４の実施形態では、無線通信部２２１は、スモール基地局３００−４からのダウンリンク信号を受信しなくてもよい。
【０２０３】
（処理部２６０）
処理部２６０は、スモール基地局２００−４の様々な機能を提供する。処理部２６０は、要求部２６１、情報取得部２６３及び情報提供部２６５を含む。
【０２０４】
（要求部２６１）
要求部２６１は、スモール基地局３００−４により送信されるリファレンス信号の測定の結果を提供するように、スモール基地局２００−４に接続される端末装置４００−４に要求する。
【０２０５】
例えば、制御装置１００−４が、スモール基地局３００−４により送信されるリファレンス信号の測定の結果を提供するように、スモール基地局２００−４に要求する。すると、要求部２６１は、スモール基地局３００−４により送信されるリファレンス信号の測定の結果を提供するように、スモール基地局２００−４に接続される端末装置４００−４に要求する。
【０２０６】
なお、要求部２６１は、スモール基地局２００−４に接続される１つの端末装置４００−４のみに、上記測定の上記結果を提供するように要求してもよい。あるいは、要求部２６１は、スモール基地局２００−４に接続される２つ以上の端末装置４００−４に、上記測定の上記結果を提供するように要求してもよい。
【０２０７】
（情報取得部２６３）
情報取得部２６３は、スモール基地局３００−４により送信されるリファレンス信号の測定の結果を取得する。第４の実施形態では、情報取得部２６３は、スモール基地局２００−４に接続される端末装置４００−４による測定の結果を取得する。
【０２０８】
例えば、上述したように、要求部２６１が、スモール基地局３００−４により送信されるリファレンス信号の測定の結果を提供するように、スモール基地局２００−４に接続される端末装置４００−４に要求する。すると、端末装置４００−４は、スモール基地局３００−４により送信されるリファレンス信号の測定の結果を、スモール基地局２００−４に提供する。そして、当該測定の当該結果は、記憶部２４０に記憶される。情報取得部２６３は、記憶部２４０から、上記測定の上記結果を取得する。
【０２０９】
なお、上述したように、要求部２６１が、スモール基地局２００−４に接続される２つ以上の端末装置４００−４に、上記測定の上記結果を提供するように要求し、情報取得部２６３は、当該２つ以上の端末装置４００−４による上記測定の上記結果を取得してもよい。この場合に、一例として、情報取得部２６３は、２つ以上の端末装置４００−４の各々による個別の測定の結果を取得してもよい。別の例として、処理部２６０が、２つ以上の端末装置４００−４の各々による個別の測定の結果から、全体の測定の結果（例えば、平均値など）を生成し、情報取得部２６３は、当該全体の測定の結果を取得してもよい。
【０２１０】
（情報提供部２６５）
情報提供部２６５は、制御装置１００−４に上記測定の上記結果を提供する。例えば、情報提供部２６５は、ネットワーク通信部２３０を介して、制御装置１００−４に上記測定の上記結果を提供する。なお、情報提供部２６５は、上記測定の上記結果とともに、スモール基地局２００−４のセルのセルＩＤも提供してもよい。
【０２１１】
＜６．３．端末装置の構成＞
次に、図３０を参照して、第４の実施形態に係る端末装置４００−４の構成を説明する。図３０は、第４の実施形態に係る端末装置４００−４の構成の一例を示すブロック図である。図３０を参照すると、端末装置４００−４は、アンテナ部４１０、無線通信部４２０、記憶部４３０及び処理部４５０を備える。
【０２１２】
なお、アンテナ部４１０、無線通信部４２０及び記憶部４３０についての説明は、例えば、第２の実施形態と第４の実施形態との間で差異はない（符号の相違を除く）。よって、ここでは、処理部４５０のみを説明し、重複する説明を省略する。
【０２１３】
（処理部４５０）
処理部４５０は、端末装置４００−４の様々な機能を提供する。処理部４５０は、測定部４５１及び情報提供部４５３を含む。
【０２１４】
（測定部４５１）
測定部４５１は、スモール基地局３００−４により送信されるリファレンス信号の測定を行う。
【０２１５】
例えば、上記リファレンス信号は、ＣＲＳである。即ち、測定部４５１は、スモール基地局３００−４により送信されるＣＲＳの測定を行う。一例として、上記測定の結果は、ＣＲＳの受信レベル、ＳＩＮＲ及び／又はパスロスを含む。
【０２１６】
（情報提供部４５３）
情報提供部４５３は、端末装置４００−４が接続されるスモール基地局に上記測定の上記結果を提供する。当該スモール基地局は、スモール基地局２００−４である。例えば、情報提供部４５３は、無線通信部４２０を介して、スモール基地局２００−４に上記測定の上記結果を提供する。
【０２１７】
＜６．４．処理の流れ＞
次に、図３１を参照して、第４の実施形態に係る処理の一例を説明する。図３１は、第４の実施形態に係る処理の概略的な流れの一例を示すシーケンス図である。第４の実施形態に係る当該処理は、例えば、スモール基地局３００−４についての登録及び認証、セルフテスティング及び無線パラメータの設定などが完了した後に、実行される。
【０２１８】
スモール基地局３００−４は、制御装置１００−４に、ＭＢＳＦＮの設定を制御装置１００−４に要求する（Ｓ５６１）。すると、制御装置１００−４は、スモール基地局３００−４により送信されるリファレンス信号の測定の結果を提供するように、１つ以上のスモール基地局２００−４に要求する（Ｓ５６３）。その後、当該１つ以上のスモール基地局２００−４の各々は、スモール基地局３００−４により送信されるリファレンス信号の測定の結果を提供するように、自らに接続される端末装置４００−４に要求する（Ｓ５６５）。すると、端末装置４００−４は、スモール基地局３００−４により送信されるリファレンス信号の測定を行う（Ｓ５６７）。そして、端末装置４００−４は、自らが接続されるスモール基地局２００−４に上記測定の上記結果を提供する（Ｓ５６９）。その後、上記１つ以上のスモール基地局２００−４の各々は、制御装置１００−４に上記測定の上記結果を提供する（Ｓ５７１）。そして、制御装置１００−４は、上記測定の上記結果に基づいて、スモール基地局３００−４のセルが属するＭＢＳＦＮエリアを決定する（Ｓ５７３）。
【０２１９】
その後、制御装置１００−４は、決定された上記ＭＢＳＦＮエリアに対応するＭＢＭＳセッション開始要求メッセージ及びＭＢＭＳスケジューリング情報メッセージをスモール基地局３００−４へ送信する（Ｓ５７５、Ｓ５７７）。そして、スモール基地局３００−４は、決定された上記ＭＢＳＦＮエリアの基地局としての動作を開始する（Ｓ５７９）。
【０２２０】
以上、第４の実施形態を説明した。第４の実施形態によれば、制御装置１００−４は、スモール基地局３００−４により送信されるリファレンス信号の測定の結果であって、１つ以上のスモール基地局２００−４により提供される上記測定の上記結果を取得する。そして、制御装置１００−４は、上記測定の上記結果に基づいて、スモール基地局３００−４のセルが属するＭＢＳＦＮエリアを決定する。これにより、例えば、スモール基地局３００−４のセルが属するＭＢＳＦＮエリアを自動で決定することが可能になる。また、例えば、スモール基地局３００−４による特別な動作なしに、上記ＭＢＳＦＮエリアが決定され得る。
【０２２１】
また、第４の実施形態によれば、上記測定の上記結果は、上記１つ以上のスモール基地局２００−４の各々に接続される端末装置４００−４による測定の結果である。これにより、例えば、スモール基地局２００−４が測定の機能を有しない場合であっても、測定の結果を得ることが可能になる。
【０２２２】
＜＜７．応用例＞＞
本開示に係る技術は、様々な製品へ応用可能である。例えば、制御装置１００は、タワーサーバ、ラックサーバ、又はブレードサーバなどのいずれかの種類のサーバとして実現されてもよい。また、制御装置１００の少なくとも一部の構成要素は、サーバに搭載されるモジュール（例えば、１つのダイで構成される集積回路モジュール、又はブレードサーバのスロットに挿入されるカード若しくはブレード）として実現されてもよい。
【０２２３】
また、例えば、スモール基地局２００及びスモール基地局３００は、ｅＮＢ（evolved  Node  B）として実現されてもよい。とりわけ、スモール基地局２００及びスモール基地局３００は、マクロセルよりも小さいセルをカバーするスモールｅＮＢであってよい。一例として、スモール基地局２００及びスモール基地局３００は、ホーム（フェムト）ｅＮＢであってもよい。別の例として、スモール基地局２００及びスモール基地局３００は、ピコｅＮＢ又はマイクロｅＮＢであってもよい。その代わりに、スモール基地局２００及びスモール基地局３００は、ＮｏｄｅＢ又はＢＴＳ（Base  Transceiver  Station）などの他の種類の基地局として実現されてもよい。スモール基地局２００及びスモール基地局３００の各々は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、スモール基地局２００又はスモール基地局３００として動作してもよい。
【０２２４】
また、例えば、端末装置４００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置４００は、Ｍ２Ｍ（Machine  To  Machine）通信を行う端末（ＭＴＣ（Machine  Type  Communication）端末ともいう）として実現されてもよい。さらに、端末装置４００の少なくとも一部の構成要素は、これら端末に搭載されるモジュール（例えば、１つのダイで構成される集積回路モジュール）として実現されてもよい。
【０２２５】
＜７．１．制御装置に関する応用例＞
図３２は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０２２６】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０２２７】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０２２８】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０２２９】
図３２に示したサーバ７００において、図１７を参照して説明した処理部１３０に含まれる構成要素（即ち、要求部１３１、情報取得部１３３、決定部１３５及び制御部１３７）の少なくとも一部は、プロセッサ７０１において実装されてもよい。一例として、プロセッサを上記構成要素の少なくとも一部として機能させるためのプログラム（換言すると、プロセッサに上記構成要素の少なくとも一部の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて上記構成要素の少なくとも一部が実装されてもよい。この場合に、上記モジュールは、プロセッサを上記構成要素の少なくとも一部として機能させるためのプログラムをメモリ７０２に記憶し、当該プログラムをプロセッサ７０１により実行してもよい。以上のように、上記構成要素の少なくとも一部を備える装置としてサーバ７００又は上記モジュールが提供されてもよく、プロセッサを上記構成要素の少なくとも一部として機能させるための上記プログラムが提供されてもよい。また、上記プログラムを記憶した読み取り可能な記憶媒体が提供されてもよい。この点については、図２５を参照して説明した処理部１４０に含まれる構成要素の少なくとも一部も、処理部１３０に含まれる上記構成要素の上記少なくとも一部と同様である。
【０２３０】
＜７．２．スモール基地局に関する応用例＞
（第１の応用例）
図３３は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２３１】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図３３に示したように複数のアンテナ８１０を有し、複数のアンテナ８１０は、例えばｅＮＢ８００が使用する複数の周波数帯域にそれぞれ対応してもよい。なお、図３３にはｅＮＢ８００が複数のアンテナ８１０を有する例を示したが、ｅＮＢ８００は単一のアンテナ８１０を有してもよい。
【０２３２】
基地局装置８２０は、コントローラ８２１、メモリ８２２、ネットワークインタフェース８２３及び無線通信インタフェース８２５を備える。
【０２３３】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２３４】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２３５】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２３６】
無線通信インタフェース８２５は、図３３に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図３３に示したように複数のＲＦ回路８２７を含み、複数のＲＦ回路８２７は、例えば複数のアンテナ素子にそれぞれ対応してもよい。なお、図３３には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２３７】
図３３に示したｅＮＢ８００において、図２０を参照して説明した処理部３５０に含まれる構成要素（即ち、測定部３５１、情報取得部３５３及び情報提供部３５５）の少なくとも一部は、無線通信インタフェース８２５において実装されてもよい。あるいは、上記構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又コントローラ８２１を含むモジュールを搭載し、当該モジュールにおいて、上記構成要素の少なくとも一部が実装されてもよい。この場合に、上記モジュールは、プロセッサを上記構成要素の少なくとも一部として機能させるためのプログラム（換言すると、プロセッサに上記構成要素の少なくとも一部の動作を実行させるためのプログラム）を記憶し、当該プログラムを実行してもよい。別の例として、プロセッサを上記構成要素の少なくとも一部として機能させるためのプログラムがｅＮＢ８００にインストールされ、無線通信インタフェース８２５（例えば、ＢＢプロセッサ８２６）及び／又コントローラ８２１が当該プログラムを実行してもよい。以上のように、上記構成要素の少なくとも一部を備える装置としてｅＮＢ８００、基地局装置８２０又は上記モジュールが提供されてもよく、プロセッサを上記構成要素の少なくとも一部として機能させるためのプログラムが提供されてもよい。また、上記プログラムを記憶した読み取り可能な記憶媒体が提供されてもよい。この点については、図２２を参照して説明した処理部３６０に含まれる構成要素の少なくとも一部、図２７を参照して説明した処理部２５０に含まれる構成要素の少なくとも一部、及び、図２９を参照して説明した処理部２６０に含まれる構成要素の少なくとも一部も、処理部３５０に含まれる上記構成要素の上記少なくとも一部と同様である。
【０２３８】
（第２の応用例）
図３４は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２３９】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図３４に示したように複数のアンテナ８４０を有し、複数のアンテナ８４０は、例えばｅＮＢ８３０が使用する複数の周波数帯域にそれぞれ対応してもよい。なお、図３４にはｅＮＢ８３０が複数のアンテナ８４０を有する例を示したが、ｅＮＢ８３０は単一のアンテナ８４０を有してもよい。
【０２４０】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図３３を参照して説明したコントローラ８２１、メモリ８２２及びネットワークインタフェース８２３と同様のものである。
【０２４１】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図３３を参照して説明したＢＢプロセッサ８２６と同様のものである。無線通信インタフェース８５５は、図３４に示したように複数のＢＢプロセッサ８５６を含み、複数のＢＢプロセッサ８５６は、例えばｅＮＢ８３０が使用する複数の周波数帯域にそれぞれ対応してもよい。なお、図３４には無線通信インタフェース８５５が複数のＢＢプロセッサ８５６を含む例を示したが、無線通信インタフェース８５５は単一のＢＢプロセッサ８５６を含んでもよい。
【０２４２】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２４３】
また、ＲＲＨ８６０は、接続インタフェース８６１及び無線通信インタフェース８６３を備える。
【０２４４】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２４５】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図３４に示したように複数のＲＦ回路８６４を含み、複数のＲＦ回路８６４は、例えば複数のアンテナ素子にそれぞれ対応してもよい。なお、図３４には無線通信インタフェース８６３が複数のＲＦ回路８６４を含む例を示したが、無線通信インタフェース８６３は単一のＲＦ回路８６４を含んでもよい。
【０２４６】
図３４に示したｅＮＢ８３０において、図２０を参照して説明した処理部３５０に含まれる構成要素（即ち、測定部３５１、情報取得部３５３及び情報提供部３５５）の少なくとも一部は、無線通信インタフェース８５５及び／又は無線通信インタフェース８６３において実装されてもよい。あるいは、上記構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて上記構成要素の少なくとも一部が実装されてもよい。この場合に、上記モジュールは、プロセッサを上記構成要素の少なくとも一部として機能させるためのプログラム（換言すると、プロセッサに上記構成要素の少なくとも一部の動作を実行させるためのプログラム）を記憶し、当該プログラムを実行してもよい。別の例として、プロセッサを上記構成要素の少なくとも一部として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、上記構成要素の少なくとも一部を備える装置としてｅＮＢ８３０、基地局装置８５０又は上記モジュールが提供されてもよく、プロセッサを上記構成要素の少なくとも一部として機能させるためのプログラムが提供されてもよい。また、上記プログラムを記憶した読み取り可能な記憶媒体が提供されてもよい。この点については、図２２を参照して説明した処理部３６０に含まれる構成要素の少なくとも一部、図２７を参照して説明した処理部２５０に含まれる構成要素の少なくとも一部、及び、図２９を参照して説明した処理部２６０に含まれる構成要素の少なくとも一部も、処理部３５０に含まれる上記構成要素の上記少なくとも一部と同様である。
【０２４７】
＜７．３．端末装置に関する応用例＞
（第１の応用例）
図３５は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２４８】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２４９】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２５０】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図３５に示したように複数のＢＢプロセッサ９１３及び複数のＲＦ回路９１４を含んでもよい。なお、図３５には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２５１】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２５２】
アンテナスイッチ９１５の各々は、無線通信インタフェース９１２に含まれる複数の回路（例えば、異なる無線通信方式のための回路）の間でアンテナ９１６の接続先を切り替える。
【０２５３】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図３５に示したように複数のアンテナ９１６を有してもよい。なお、図３５にはスマートフォン９００が複数のアンテナ９１６を有する例を示したが、スマートフォン９００は単一のアンテナ９１６を有してもよい。
【０２５４】
さらに、スマートフォン９００は、無線通信方式ごとにアンテナ９１６を備えてもよい。その場合に、アンテナスイッチ９１５は、スマートフォン９００の構成から省略されてもよい。
【０２５５】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図３５に示したスマートフォン９００の各ブロックへ電力を供給する。補助コントローラ９１９は、例えば、スリープモードにおいて、スマートフォン９００の必要最低限の機能を動作させる。
【０２５６】
図３５に示したスマートフォン９００において、図２３を参照して説明した測定部４４１及び情報提供部４４３の少なくとも一方は、無線通信インタフェース９１２において実装されてもよい。あるいは、測定部４４１及び情報提供部４４３の少なくとも一方は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて測定部４４１及び情報提供部４４３の少なくとも一方が実装されてもよい。この場合に、上記モジュールは、プロセッサを測定部４４１及び情報提供部４４３の少なくとも一方として機能させるためのプログラム（換言すると、測定部４４１及び情報提供部４４３の少なくとも一方の動作を実行させるためのプログラム）を記憶し、当該プログラムを実行してもよい。別の例として、プロセッサを測定部４４１及び情報提供部４４３の少なくとも一方として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、測定部４４１及び情報提供部４４３の少なくとも一方を備える装置としてスマートフォン９００又は上記モジュールが提供されてもよく、プロセッサを測定部４４１及び情報提供部４４３の少なくとも一方として機能させるためのプログラムが提供されてもよい。また、上記プログラムを記憶した読み取り可能な記憶媒体が提供されてもよい。この点については、図３０を参照して説明した測定部４５１及び情報提供部４５３の少なくとも一方も、測定部４４１及び情報提供部４４３の上記少なくとも一方と同様である。
【０２５７】
（第２の応用例）
図３６は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２５８】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２５９】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２６０】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２６１】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図３６に示したように複数のＢＢプロセッサ９３４及び複数のＲＦ回路９３５を含んでもよい。なお、図３６には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２６２】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２６３】
アンテナスイッチ９３６の各々は、無線通信インタフェース９３３に含まれる複数の回路（例えば、異なる無線通信方式のための回路）の間でアンテナ９３７の接続先を切り替える。
【０２６４】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図３６に示したように複数のアンテナ９３７を有してもよい。なお、図３６にはカーナビゲーション装置９２０が複数のアンテナ９３７を有する例を示したが、カーナビゲーション装置９２０は単一のアンテナ９３７を有してもよい。
【０２６５】
さらに、図３６カーナビゲーション装置９２０は、無線通信方式ごとにアンテナ９３７を備えてもよい。その場合に、アンテナスイッチ９３６は、カーナビゲーション装置９２０の構成から省略されてもよい。
【０２６６】
バッテリー９３８は、図中に破線で部分的に示した給電ラインを介して、図３６に示したカーナビゲーション装置９２０の各ブロックへ電力を供給する。また、バッテリー９３８は、車両側から給電される電力を蓄積する。
【０２６７】
図３６に示したカーナビゲーション装置９２０において、図２３を参照して説明した測定部４４１及び情報提供部４４３の少なくとも一方は、無線通信インタフェース９３３において実装されてもよい。あるいは、測定部４４１及び情報提供部４４３の少なくとも一方は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて測定部４４１及び情報提供部４４３の少なくとも一方が実装されてもよい。この場合に、上記モジュールは、プロセッサを測定部４４１及び情報提供部４４３の少なくとも一方として機能させるためのプログラム（換言すると、プロセッサに測定部４４１及び情報提供部４４３の少なくとも一方の動作を実行させるためのプログラム）を記憶し、当該プログラムを実行してもよい。別の例として、プロセッサを測定部４４１及び情報提供部４４３の少なくとも一方として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、測定部４４１及び情報提供部４４３の少なくとも一方を備える装置としてカーナビゲーション装置９２０又は上記モジュールが提供されてもよく、プロセッサを測定部４４１及び情報提供部４４３の少なくとも一方として機能させるためのプログラムが提供されてもよい。また、上記プログラムを記憶した読み取り可能な記憶媒体が提供されてもよい。この点については、図３０を参照して説明した測定部４５１及び情報提供部４５３の少なくとも一方も、測定部４４１及び情報提供部４４３の上記少なくとも一方と同様である。
【０２６８】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、測定部４４１及び情報提供部４４３の少なくとも一方（又は、測定部４５１及び情報提供部４５３の少なくとも一方）を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２６９】
＜＜８．まとめ＞＞
ここまで、図１〜図３６を参照して、本開示の実施形態に係る各装置及び各処理を説明した。
【０２７０】
本開示の実施形態によれば、制御装置１００は、対象基地局（例えば、スモール基地局３００）及び１つ以上の他の基地局（例えば、１つ以上のスモール基地局２００）のうちの一方により送信されるリファレンス信号の測定の結果であって、上記対象基地局及び上記１つ以上の他の基地局のうちの他方により提供される上記測定の上記結果を取得する。そして、制御装置１００は、上記測定の上記結果に基づいて、上記対象基地局のセル（例えば、スモール基地局３００のスモールセル）が属するＭＢＳＦＮエリアを決定する。
【０２７１】
これにより、例えば、スモール基地局３００のセルが属するＭＢＳＦＮエリアを自動で決定することが可能になる。
【０２７２】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０２７３】
例えば、スモール基地局に着目した実施形態を説明したが、本開示は係る例に限定されない。例えば、上述したスモール基地局の動作をマクロ基地局が行ってもよい。即ち、本開示に係る技術は、スモール基地局のみではなく、マクロ基地局にも適用され得る。
【０２７４】
また、例えば、通信システムがＬＴＥ、ＬＴＥ−Ａｄｖａｎｃｅｄ、又はこれらに準ずる通信規格に準拠したシステムである例を説明したが、本開示は係る例に限定されない。例えば、通信システムは、別の通信規格に準拠したシステムであってもよい。
【０２７５】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２７６】
また、本明細書のノード（例えば、制御装置、スモール基地局及び／又は端末装置）に備えられるプロセッサ（例えば、ＣＰＵ、ＤＳＰなど）を上記ノードの構成要素（例えば、情報取得部及び決定部など）として機能させるためのコンピュータプログラム（換言すると、上記プロセッサに上記ノードの構成要素の動作を実行させるためのコンピュータプログラム）も作成可能である。また、当該コンピュータプログラムを記憶した記憶媒体も提供されてもよい。また、上記コンピュータプログラムを記憶するメモリと、上記コンピュータプログラムを実行可能な１つ以上のプロセッサとを備える装置（例えば、本体装置、又は本体装置のためのモジュール（処理回路若しくはチップなど））も提供されてもよい。
【０２７７】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２７８】
なお、以下のような構成も本開示の技術的範囲に属する。
（１）
対象基地局及び１つ以上の他の基地局のうちの一方により送信されるリファレンス信号の測定の結果であって、前記対象基地局及び前記１つ以上の他の基地局のうちの他方により提供される前記測定の前記結果を取得する取得部と、
前記測定の前記結果に基づいて、前記対象基地局のセルが属するＭＢＳＦＮ（Multimedia  Broadcast  Multicast  Service（MBMS）  over  Single  Frequency  Network）エリアを決定する決定部と、
を備える装置。
（２）
前記対象基地局は、スモールセル基地局であり、
前記セルは、スモールセルである、
前記（１）に記載の装置。
（３）
前記１つ以上の他の基地局の各々は、スモールセル基地局である、前記（２）に記載の装置。
（４）
前記ＭＢＳＦＮエリアは、１つ以上のスモールセルから成る、前記（２）又は（３）に記載の装置。
（５）
前記測定の前記結果は、前記１つ以上の他の基地局により送信されるリファレンス信号の測定の結果であって、前記対象基地局により提供される前記測定の前記結果である、前記（１）〜（４）のいずれか１項に記載の装置。
（６）
前記測定の前記結果は、前記対象基地局による測定の結果である、前記（５）に記載の装置。
（７）
前記測定の前記結果は、前記対象基地局に接続される端末装置による測定の結果である、前記（５）に記載の装置。
（８）
前記測定の前記結果は、前記対象基地局により送信されるリファレンス信号の測定の結果であって、前記１つ以上の他の基地局により提供される前記測定の前記結果である、前記（１）〜（４）のいずれか１項に記載の装置。
（９）
前記測定の前記結果は、前記１つ以上の他の基地局の各々による測定の結果である、前記（８）に記載の装置。
（１０）
前記測定の前記結果は、前記１つ以上の他の基地局の各々に接続される端末装置による測定の結果である、前記（８）に記載の装置。
（１１）
前記リファレンス信号は、ＭＢＳＦＮリファレンス信号である、前記（５）〜（７）のいずれか１項に記載の装置。
（１２）
前記測定の前記結果は、１つ以上のＭＢＳＦＮエリアの各々についての測定の結果及び識別情報を含む、前記（１１）に記載の装置。
（１３）
前記決定部は、前記１つ以上のＭＢＳＦＮエリアのうちのいずれかのＭＢＳＦＮエリアを、前記対象基地局のセルが属するＭＢＳＦＮエリアとして決定する、前記（１２）に記載の装置。
（１４）
前記測定の前記結果は、ＭＢＳＦＮリファレンス信号の受信レベル又はＳＩＮＲ（Signal-to-Interference-plus-Noise  Ratio）を含む、前記（１１）〜（１３）のいずれか１項に記載の装置。
（１５）
前記測定の前記結果は、いずれかのＭＢＳＦＮエリアを示す情報である、前記（１１）に記載の装置。
（１６）
前記リファレンス信号は、ＣＲＳ（Cell-specific  Reference  Signal）である、前記（５）〜（１０）のいずれか１項に記載の装置。
（１７）
前記測定の前記結果は、前記１つ以上の他の基地局の各々についての測定の結果及び識別情報を含む、前記（１６）に記載の装置。
（１８）
前記決定部は、前記１つ以上の他の基地局のうちのいずれかの基地局のセルが属するＭＢＳＦＮエリアを、前記対象基地局のセルが属するＭＢＳＦＮエリアとして決定する、前記（１７）に記載の装置。
（１９）
前記測定の前記結果は、ＣＲＳの受信レベル、ＳＩＮＲ又はパスロスを含む、前記（１６）〜（１８）のいずれか１項に記載の装置。
（２０）
前記測定の前記結果は、前記１つ以上の他の基地局のうちのいずれかの基地局を示す情報である、前記（１６）に記載の装置。
（２１）
対象基地局及び１つ以上の他の基地局のうちの一方により送信されるリファレンス信号の測定の結果を取得する取得部と、
前記対象基地局のセルが属するＭＢＳＦＮエリアを決定する制御装置に前記測定の前記結果を提供する提供部と、
を備える装置。
（２２）
前記測定の前記結果は、１つ以上の他の基地局により送信されるリファレンス信号の測定の結果であり、
前記装置は、前記対象基地局、前記対象基地局のための基地局装置、又は当該基地局装置のためのモジュールである、
前記（２１）に記載の装置。
（２３）
前記測定の前記結果は、前記対象基地局により送信されるリファレンス信号の測定の結果であり、
前記装置は、他の基地局、前記他の基地局のための基地局装置、又は当該基地局装置のためのモジュールである、
前記（２１）に記載の装置。
（２４）
１つ以上の基地局により送信されるＭＢＳＦＮリファレンス信号の測定を行う測定部と、
端末装置が接続される基地局に前記測定の結果を提供する提供部と、
を備える装置。
（２５）
前記装置は、前記端末装置、又は前記端末装置のためのモジュールである、前記（２４）に記載の装置。
（２６）
対象基地局及び１つ以上の他の基地局のうちの一方により送信されるリファレンス信号の測定の結果であって、前記対象基地局及び前記１つ以上の他の基地局のうちの他方により提供される前記測定の前記結果を取得することと、
プロセッサにより、前記測定の前記結果に基づいて、前記対象基地局のセルが属するＭＢＳＦＮエリアを決定することと、
を含む方法。
（２７）
対象基地局及び１つ以上の他の基地局のうちの一方により送信されるリファレンス信号の測定の結果であって、前記対象基地局及び前記１つ以上の他の基地局のうちの他方により提供される前記測定の前記結果を取得することと、
前記測定の前記結果に基づいて、前記対象基地局のセルが属するＭＢＳＦＮエリアを決定することと、
をプロセッサに実行させるためのプログラム。
（２８）
対象基地局及び１つ以上の他の基地局のうちの一方により送信されるリファレンス信号の測定の結果であって、前記対象基地局及び前記１つ以上の他の基地局のうちの他方により提供される前記測定の前記結果を取得することと、
前記測定の前記結果に基づいて、前記対象基地局のセルが属するＭＢＳＦＮエリアを決定することと、
をプロセッサに実行させるためのプログラムを記録した読み取り可能な記録媒体。
（２９）
対象基地局及び１つ以上の他の基地局のうちの一方により送信されるリファレンス信号の測定の結果を取得することと、
プロセッサにより、前記対象基地局のセルが属するＭＢＳＦＮエリアを決定する制御装置に前記測定の前記結果を提供することと、
を含む方法。
（３０）
対象基地局及び１つ以上の他の基地局のうちの一方により送信されるリファレンス信号の測定の結果を取得することと、
前記対象基地局のセルが属するＭＢＳＦＮエリアを決定する制御装置に前記測定の前記結果を提供することと、
をプロセッサに実行させるためのプログラム。
（３１）
対象基地局及び１つ以上の他の基地局のうちの一方により送信されるリファレンス信号の測定の結果を取得することと、
前記対象基地局のセルが属するＭＢＳＦＮエリアを決定する制御装置に前記測定の前記結果を提供することと、
をプロセッサに実行させるためのプログラムを記録した読み取り可能な記録媒体。
（３２）
プロセッサにより、１つ以上の基地局により送信されるＭＢＳＦＮリファレンス信号の測定を行うことと、
端末装置が接続される基地局に前記測定の結果を提供することと、
を含む方法。
（３３）
１つ以上の基地局により送信されるＭＢＳＦＮリファレンス信号の測定を行うことと、
端末装置が接続される基地局に前記測定の結果を提供することと、
をプロセッサに実行させるためのプログラム。
（３４）
１つ以上の基地局により送信されるＭＢＳＦＮリファレンス信号の測定を行うことと、
端末装置が接続される基地局に前記測定の結果を提供することと、
をプロセッサに実行させるためのプログラムを記録した読み取り可能な記録媒体。
【符号の説明】
【０２７９】
１              通信システム
１０            マクロセル
１１            マクロ基地局
２０            スモールセル
１００          制御装置
１３１、１４１  要求部
１３３、１４３  情報取得部
１３５、１４５  決定部
１３７、１４７  制御部
２００          スモール基地局
２５１          測定部
２５３、２６３  情報取得部
２５５、２６５  情報提供部
２６１          要求部
３００          スモール基地局
３５１          測定部
３５３、３６３  情報取得部
３５５、３６５  情報提供部
３６１          要求部
４００                  端末装置
４４１、４５１  測定部
４４３、４５３  情報提供部
【図１】
2015142332.tif 000004
【図２】
2015142332.tif 000005
【図３】
2015142332.tif 000006
【図４】
2015142332.tif 000007
【図５】
2015142332.tif 000008
【図６】
2015142332.tif 000009
【図７】
2015142332.tif 000010
【図８】
2015142332.tif 000011
【図９】
2015142332.tif 000012
【図１０】
2015142332.tif 000013
【図１１】
2015142332.tif 000014
【図１２】
2015142332.tif 000015
【図１３】
2015142332.tif 000016
【図１４】
2015142332.tif 000017
【図１５】
2015142332.tif 000018
【図１６】
2015142332.tif 000019
【図１７】
2015142332.tif 000020
【図１８】
2015142332.tif 000021
【図１９】
2015142332.tif 000022
【図２０】
2015142332.tif 000023
【図２１】
2015142332.tif 000024
【図２２】
2015142332.tif 000025
【図２３】
2015142332.tif 000026
【図２４】
2015142332.tif 000027
【図２５】
2015142332.tif 000028
【図２６】
2015142332.tif 000029
【図２７】
2015142332.tif 000030
【図２８】
2015142332.tif 000031
【図２９】
2015142332.tif 000032
【図３０】
2015142332.tif 000033
【図３１】
2015142332.tif 000034
【図３２】
2015142332.tif 000035
【図３３】
2015142332.tif 000036
【図３４】
2015142332.tif 000037
【図３５】
2015142332.tif 000038
【図３６】
2015142332.tif 000039